(57)【要約】  本発明は、Ａ、Ｂ及びＧ主電極を有するエネルギー調整器の新規な内部構造、Ａ、Ｂ及びＧ主電極の導体構造を有するエネルギー調整器を含む新規な回路、Ａ、Ｂ及びＧ主電極を有するエネルギー調整器の内部構造と外部構造との新規な組立体、及び接続構造上の、Ａ、Ｂ及びＧ主電極を有するエネルギー調整器の新規な構成を提供する。【特許請求の範囲】
【請求項１】
エネルギー調整器の内部構造であって：
当該内部構造は左側表面、右側表面、上側表面、下側表面、頂部表面及び底部表面を有し；
当該内部構造は誘電体材料及び導電性材料を有し；
前記誘電体材料の表面及び前記導電性材料の表面は、前記左側表面、前記右側表面、前記上側表面、前記下側表面、前記頂部表面及び前記底部表面を定め；
前記導電性材料は第１平面内に第１Ａ導電層、第１Ｂ導電層及び第１Ｇ導電層を有し；
前記第１Ａ導電層、前記第１Ｂ導電層及び第１Ｇ導電層は当該内部構造内で互いに電気的に絶縁され；
前記第１Ａ導電層は少なくとも１つの第１Ａ導電層第１タブ及び第１Ａ導電層本体部を有し；
前記第１Ｂ導電層は少なくとも１つの第１Ｂ導電層第１タブ及び第１Ｂ導電層本体部を有し；
前記第１Ｇ導電層は少なくとも第１Ｇ導電層第１タブ、第１Ｇ導電層第２タブ及び第１Ｇ導電層本体部を有し；
前記第１Ａ導電層本体部は前記左側表面、前記右側表面、前記上側表面及び前記下側表面の何れにも延在せず；
前記第１Ｂ導電層本体部は前記左側表面、前記右側表面、前記上側表面及び前記下側表面の何れにも延在せず；
前記第１Ｇ導電層本体部は前記左側表面、前記右側表面、前記上側表面及び前記下側表面の何れにも延在せず；且つ
前記第１Ｇ導電層は前記第１Ａ導電層と前記第１Ｂ導電層との間にある；
構造。
【請求項２】
請求項１に記載の構造とエネルギー調整器外部構造とを有するエネルギー調整器。
【請求項３】
取付面構造に取り付けられた請求項２に記載のエネルギー調整器を有する組立体であって：
前記取付面構造は第１の導電性領域、第２の導電性領域及び第３の導電性領域から成り；
前記第１Ａ導電層は前記第１の導電性領域に導電的に接続され；
前記第１Ｂ導電層は前記第２の導電性領域に導電的に接続され；且つ
前記第１Ｇ導電層は前記第３の導電性領域に導電的に接続される；
組立体。
【請求項４】
前記外部構造は第１の導電性統合構造、第２の導電性統合構造及び第３の導電性統合構造を有し；
前記第１の導電性統合構造は前記第１Ａ導電層第１タブ及び前記第１の導電性領域に接触し；
前記第２の導電性統合構造は前記第１Ｂ導電層第１タブ及び前記第２の導電性領域に接触し；且つ
前記第３の導電性統合構造は前記第１Ｇ導電層第１タブ及び前記第３の導電性領域に接触する；
請求項３に記載の組立体。
【請求項５】
前記第１の導電性統合構造は少なくとも前記左側表面にあり、前記第２の導電性統合構造は少なくとも前記右側表面にあり、前記第３の導電性統合構造は前記第１の導電性統合構造と前記第２の導電性統合構造との間にある；
請求項４に記載の組立体。
【請求項６】
前記第１Ｇ導電層第２タブ及び前記第３の導電性領域に接触する第４の導電性統合構造を更に有する請求項４に記載の組立体。
【請求項７】
前記第３の導電性統合構造はまた、前記第１Ｇ導電層第２タブ及び前記第３の導電性領域にも接触する、請求項４に記載の組立体。
【請求項８】
前記第１Ｇ導電層本体部は前記上側表面付近の領域に延在し；
前記第１Ａ導電層本体部は、前記第１Ｇ導電層本体部の一部が該第１Ａ導電層本体部の一部と前記上側表面との間にあるように、前記上側表面より前記下側表面に近い領域で、前記第１Ａ導電層第１タブから前記左側表面に向けて延在し；且つ
前記第１Ｂ導電層本体部は、前記第１Ｇ導電層本体部の一部が該第１Ｂ導電層本体部の一部と前記上側表面との間にあるように、前記上側表面より前記下側表面に近い領域で、前記第１Ｂ導電層第１タブから前記左側表面に向けて延在する；
請求項１に記載の構造。
【請求項９】
前記第１Ｇ導電層第１タブは前記上側表面まで延在し；
前記第１Ｇ導電層本体部は更に、前記下側表面より前記上側表面に近い領域で、前記第１Ｇ導電層第１タブから前記左側表面に向けて延在し；且つ
前記第１Ｇ導電層本体部は更に、前記下側表面より前記上側表面に近い領域で、前記第１Ｇ導電層第１タブから前記右側表面に向けて延在する；
請求項８に記載の構造。
【請求項１０】
前記第１Ａ導電層第１タブは、前記左側表面、前記上側表面及び前記下側表面の少なくとも１つまで延在する、請求項１に記載の構造。
【請求項１１】
前記第１Ａ導電層第１タブは、前記左側表面の全て、前記上側表面と前記左側表面との合流部に位置する前記上側表面の一部、及び前記下側表面と前記左側表面との合流部に位置する前記下側表面の一部まで延在する、請求項１に記載の構造。
【請求項１２】
前記第１Ａ導電層第１タブは前記左側表面のみに延在する、請求項１に記載の構造。
【請求項１３】
前記少なくとも１つの第１Ａ導電層第１タブは第１Ａ導電層第１タブ及び第１Ａ導電層第２タブから成り；
前記第１Ａ導電層第１タブは前記上側表面のみに延在し；且つ
前記第１Ａ導電層第２タブは前記下側表面のみに延在する；
請求項１に記載の構造。
【請求項１４】
前記少なくとも１つの第１Ａ導電層第１タブは第１Ａ導電層第１タブ及び第１Ａ導電層第２タブから成り；
前記第１Ａ導電層第１タブは前記上側表面のみに延在し；且つ
前記第１Ａ導電層第２タブは前記下側表面と前記左側表面とのコーナー部のみに延在する；
請求項１に記載の構造。
【請求項１５】
前記少なくとも１つの第１Ａ導電層第１タブは第１Ａ導電層第１タブ、第１Ａ導電層第２タブ及び第１Ａ導電層第３タブから成り；
前記第１Ａ導電層第１タブは前記上側表面のみに延在し；
前記第１Ａ導電層第２タブは前記左側表面のみに延在し；且つ
前記第１Ａ導電層第３タブは前記下側表面のみに延在する；
請求項１に記載の構造。
【請求項１６】
前記第１Ａ導電層及び前記第１Ｂ導電層は、前記上側表面の中央から前記下側表面の中央に伸びる直線に関して互いに鏡像の関係にある、請求項１に記載の構造。
【請求項１７】
前記第１Ａ導電層第１タブは前記下側表面と前記左側表面とのコーナー部まで延在し；
前記第１Ｂ導電層第１タブは前記上側表面と前記右側表面とのコーナー部まで延在し；
前記第１Ｇ導電層第１タブは前記上側表面と前記左側表面とのコーナー部まで延在し；且つ
前記第１Ｇ導電層第２タブは前記下側表面と前記右側表面とのコーナー部まで延在する；
請求項１に記載の構造。
【請求項１８】
前記第１Ｇ導電層本体部はＧ導電層本体部面積を有し、前記第１Ａ導電層本体部はＡ導電層本体部面積を有し、前記Ｇ導電層本体部面積か前記Ａ導電層本体部面積より大きい、請求項１に記載の構造。
【請求項１９】
第２平面内に更に第２Ｇ導電層を有し；
前記第２Ｇ導電層は少なくとも第２Ｇ導電層第１タブ、第２Ｇ導電層第２タブ及び第２Ｇ導電層本体部を有し；且つ
前記第１Ｇ導電層及び前記第２Ｇ導電層は、（１）前記第１Ｇ導電層第１タブ及び前記第２Ｇ導電層第１タブが重なり合い、且つ（２）前記第１Ｇ導電層第２タブ及び前記第２Ｇ導電層第２タブが重なり合うように積層される；
請求項１に記載の構造。
【請求項２０】
前記第２Ｇ導電層は第２Ｇ導電層第１タブ及び第２Ｇ導電層第２タブ以外のタブを含まず、且つ前記第２Ｇ導電層は前記左側表面、前記右側表面、前記上側表面及び前記下側表面の間の領域の大部分を占める、請求項１９に記載の構造。
【請求項２１】
前記第１Ａ導電層、前記第１Ｂ導電層及び前記第１Ｇ導電層は第１のパターンを形成し；
第２平面内に第２のパターンを形成する第２Ａ導電層、第２Ｂ導電層及び第２Ｇ導電層を更に有する；
請求項１に記載の構造。
【請求項２２】
前記第２のパターンは前記第１のパターンと異なる、請求項２１に記載の構造。
【請求項２３】
前記第２のパターンは前記第１のパターンと同一であり、且つ前記第２のパターンは前記第１のパターンに対して回転されることなく配置されており、第１の無回転整合ペアを形成している、請求項２１に記載の構造。
【請求項２４】
前記第２のパターンは前記第１のパターンと同一であり、且つ前記第２のパターンは前記第１のパターンに対して180°回転されて配置されており、第１の非整合ペアを形成している、請求項２１に記載の構造。
【請求項２５】
各々が前記第１のパターンを有する第２の無回転整合ペア、を更に有する請求項２３に記載の構造。
【請求項２６】
前記第１の無回転整合ペアと前記第２の無回転整合ペアとの間に第２Ｇ導電層を更に有する請求項２５に記載の構造。
【請求項２７】
各々が前記第１のパターンを有する第２の非整合ペア、を更に有する請求項２４に記載の構造。
【請求項２８】
前記第１の非整合ペアと前記第２の非整合ペアとの間に第２Ｇ導電層を更に有する請求項２７に記載の構造。
【請求項２９】
エネルギー調整器の内部構造を形成する方法であって：
誘電体材料及び導電性材料を有する前記内部構造を設ける段階を有し；
前記内部構造は左側表面、右側表面、上側表面、下側表面、頂部表面及び底部表面を有し；
前記誘電体材料の表面及び前記導電性材料の表面は、前記左側表面、前記右側表面、前記上側表面、前記下側表面、前記頂部表面及び前記底部表面を定め；
前記導電性材料は第１平面内に第１Ａ導電層、第１Ｂ導電層及び第１Ｇ導電層を有し；
前記第１Ａ導電層、前記第１Ｂ導電層及び第１Ｇ導電層は前記内部構造内で互いに電気的に絶縁され；
前記第１Ａ導電層は少なくとも１つの第１Ａ導電層第１タブ及び第１Ａ導電層本体部を有し；
前記第１Ｂ導電層は少なくとも１つの第１Ｂ導電層第１タブ及び第１Ｂ導電層本体部を有し；
前記第１Ｇ導電層は少なくとも第１Ｇ導電層第１タブ、第１Ｇ導電層第２タブ及び第１Ｇ導電層本体部を有し；
前記第１Ａ導電層本体部は前記左側表面、前記右側表面、前記上側表面及び前記下側表面の何れにも延在せず；
前記第１Ｂ導電層本体部は前記左側表面、前記右側表面、前記上側表面及び前記下側表面の何れにも延在せず；
前記第１Ｇ導電層本体部は前記左側表面、前記右側表面、前記上側表面及び前記下側表面の何れにも延在せず；且つ
前記第１Ｇ導電層は前記第１Ａ導電層と前記第１Ｂ導電層との間にある；
方法。
【請求項３０】
エネルギー調整器の内部構造を用いる方法であって：
前記内部構造は左側表面、右側表面、上側表面、下側表面、頂部表面及び底部表面を有し；
前記内部構造は誘電体材料及び導電性材料を有し；
前記誘電体材料の表面及び前記導電性材料の表面は、前記左側表面、前記右側表面、前記上側表面、前記下側表面、前記頂部表面及び前記底部表面を定め；
前記導電性材料は第１平面内に第１Ａ導電層、第１Ｂ導電層及び第１Ｇ導電層を有し；
前記第１Ａ導電層、前記第１Ｂ導電層及び第１Ｇ導電層は前記内部構造内で互いに電気的に絶縁され；
前記第１Ａ導電層は少なくとも１つの第１Ａ導電層第１タブ及び第１Ａ導電層本体部を有し；
前記第１Ｂ導電層は少なくとも１つの第１Ｂ導電層第１タブ及び第１Ｂ導電層本体部を有し；
前記第１Ｇ導電層は少なくとも第１Ｇ導電層第１タブ、第１Ｇ導電層第２タブ及び第１Ｇ導電層本体部を有し；
前記第１Ａ導電層本体部は前記左側表面、前記右側表面、前記上側表面及び前記下側表面の何れにも延在せず；
前記第１Ｂ導電層本体部は前記左側表面、前記右側表面、前記上側表面及び前記下側表面の何れにも延在せず；
前記第１Ｇ導電層本体部は前記左側表面、前記右側表面、前記上側表面及び前記下側表面の何れにも延在せず；
前記第１Ｇ導電層は前記第１Ａ導電層と前記第１Ｂ導電層との間にあり；且つ
当該方法は前記内部構造を含む回路内の電気エネルギーを調整する段階を有する、方法。
【請求項３１】
内部構造；及び
外部構造；
を有するエネルギー調整器であって：
前記内部構造は左側表面、右側表面、上側表面、下側表面、頂部表面及び底部表面を有し；
前記内部構造は誘電体材料及び導電性材料を有し；
前記誘電体材料の表面及び前記導電性材料の表面は、前記左側表面、前記右側表面、前記上側表面、前記下側表面、前記頂部表面及び前記底部表面を定め；
前記導電性材料は、第１平面内の第１Ａ導電層及び第１Ｂ導電層、並びに前記第１平面の上方の第２平面内の第１Ｇ導電層を有し；
前記第１Ａ導電層、前記第１Ｂ導電層及び第１Ｇ導電層は前記内部構造内で互いに電気的に絶縁され；
前記第１Ａ導電層は少なくとも１つの第１Ａ導電層第１タブ、第１Ａ導電層第２タブ及び第１Ａ導電層本体部を有し；
前記第１Ｂ導電層は少なくとも１つの第１Ｂ導電層第１タブ、第１Ｂ導電層第２タブ及び第１Ｂ導電層本体部を有し；
前記第１Ｇ導電層は少なくとも第１Ｇ導電層第１タブ、第１Ｇ導電層第２タブ及び第１Ｇ導電層本体部を有し；
前記第１Ａ導電層第１タブは前記左側表面付近の前記上側表面まで延在し；
前記第１Ａ導電層第２タブは前記左側表面付近の前記下側表面まで延在し；
前記第１Ａ導電層本体部は、前記左側表面より前記右側表面に近く且つ前記下側表面より前記上側表面に近い領域に延在し；
前記第１Ｂ導電層第１タブは前記右側表面付近の前記上側表面まで延在し；
前記第１Ｂ導電層第２タブは前記右側表面付近の前記下側表面まで延在し；
前記第１Ｂ導電層本体部は、前記右側表面より前記左側表面に近く且つ前記上側表面より前記下側表面に近い領域に延在し；
前記外部構造は第１の導電性統合構造、第２の導電性統合構造、第３の導電性統合構造及び第４の導電性統合構造を有し；
前記第１の導電性統合構造は前記第１Ａ導電層第１タブ及び前記第１Ａ導電層第２タブに接触し；
前記第２の導電性統合構造は前記第１Ｂ導電層第１タブ及び前記第１Ｂ導電層第２タブに接触し；
前記第３の導電性統合構造は前記第１Ｇ導電層第１タブに接触し；且つ
前記第４の導電性統合構造は前記第１Ｇ導電層第２タブに接触する；
エネルギー調整器。
【請求項３２】
前記第３の導電性統合構造及び前記第４の導電性統合構造は当該エネルギー調整器の外表面を囲むバンドを形成する、請求項３１に記載の調整器。
【請求項３３】
前記第１Ｇ導電層第１タブは前記下側表面まで延在し、前記第１Ｇ導電層第２タブは前記上側表面まで延在する、請求項３１に記載の調整器。
【請求項３４】
前記第１Ｇ導電層第１タブは前記左側表面まで延在し、前記第１Ｇ導電層第２タブは前記右側表面まで延在する、請求項３１に記載の調整器。
【請求項３５】
前記導電性材料は前記第１表面の上方の第３平面内の第２Ａ導電層及び第２Ｂ導電層を有し；
前記第２Ａ導電層は第２Ａ導電層第１タブ及び第２Ａ導電層第２タブを有し；且つ
前記第２Ｂ導電層は第２Ｂ導電層第１タブ及び第２Ｂ導電層第２タブを有する；
請求項３１に記載の調整器。
【請求項３６】
前記第２Ａ導電層第１タブは前記第１Ａ導電層第１タブに重なり；且つ
前記第２Ｂ導電層第１タブは前記第１Ｂ導電層第１タブに重なる；
請求項３５に記載の調整器。
【請求項３７】
前記第２Ａ導電層は第２Ａ導電層本体部を有し；
前記第２Ｂ導電層は第２Ｂ導電層本体部を有し；
前記第１Ａ導電層本体部は前記第２Ａ導電層本体部に位置整合され；且つ
前記第１Ｂ導電層本体部は前記第２Ｂ導電層本体部に位置整合される；
請求項３６に記載の調整器。
【請求項３８】
前記第２Ａ導電層は第２Ａ導電層本体部を有し；
前記第２Ｂ導電層は第２Ｂ導電層本体部を有し；
前記第１Ａ導電層本体部は前記第２Ｂ導電層本体部に実質的に重なり；且つ
前記第１Ｂ導電層本体部は前記第２Ｂ導電層本体部に実質的に重なる；
請求項３６に記載の調整器。
【請求項３９】
前記外部構造は４つ以下の導電性統合構造を有する、請求項３１に記載の調整器。
【請求項４０】
内部構造を設ける段階；及び
外部構造を設ける段階；
を有するエネルギー調整器の製造方法であって：
前記内部構造は左側表面、右側表面、上側表面、下側表面、頂部表面及び底部表面を有し；
前記内部構造は誘電体材料及び導電性材料を有し；
前記誘電体材料の表面及び前記導電性材料の表面は、前記左側表面、前記右側表面、前記上側表面、前記下側表面、前記頂部表面及び前記底部表面を定め；
前記導電性材料は、第１平面内の第１Ａ導電層及び第１Ｂ導電層、並びに前記第１平面の上方の第２平面内の第１Ｇ導電層を有し；
前記第１Ａ導電層、前記第１Ｂ導電層及び第１Ｇ導電層は前記内部構造内で互いに電気的に絶縁され；
前記第１Ａ導電層は少なくとも１つの第１Ａ導電層第１タブ、第１Ａ導電層第２タブ及び第１Ａ導電層本体部を有し；
前記第１Ｂ導電層は少なくとも１つの第１Ｂ導電層第１タブ、第１Ｂ導電層第２タブ及び第１Ｂ導電層本体部を有し；
前記第１Ｇ導電層は少なくとも第１Ｇ導電層第１タブ、第１Ｇ導電層第２タブ及び第１Ｇ導電層本体部を有し；
前記第１Ａ導電層第１タブは前記左側表面付近の前記上側表面まで延在し；
前記第１Ａ導電層第２タブは前記左側表面付近の前記下側表面まで延在し；
前記第１Ａ導電層本体部は、前記左側表面より前記右側表面に近く且つ前記下側表面より前記上側表面に近い領域に延在し；
前記第１Ｂ導電層第１タブは前記右側表面付近の前記上側表面まで延在し；
前記第１Ｂ導電層第２タブは前記右側表面付近の前記下側表面まで延在し；
前記第１Ｂ導電層本体部は、前記右側表面より前記左側表面に近く且つ前記上側表面より前記下側表面に近い領域に延在し；
前記外部構造は第１の導電性統合構造、第２の導電性統合構造、第３の導電性統合構造及び第４の導電性統合構造を有し；
前記第１の導電性統合構造は前記第１Ａ導電層第１タブ及び前記第１Ａ導電層第２タブに接触し；
前記第２の導電性統合構造は前記第１Ｂ導電層第１タブ及び前記第１Ｂ導電層第２タブに接触し；
前記第３の導電性統合構造は前記第１Ｇ導電層第１タブに接触し；且つ
前記第４の導電性統合構造は前記第１Ｇ導電層第２タブに接触する；
方法。
【請求項４１】
エネルギー調整器を用いる方法であって、前記エネルギー調整器は：
内部構造；及び
外部構造；
を有し；
前記内部構造は左側表面、右側表面、上側表面、下側表面、頂部表面及び底部表面を有し；
前記内部構造は誘電体材料及び導電性材料を有し；
前記誘電体材料の表面及び前記導電性材料の表面は、前記左側表面、前記右側表面、前記上側表面、前記下側表面、前記頂部表面及び前記底部表面を定め；
前記導電性材料は、第１平面内の第１Ａ導電層及び第１Ｂ導電層、並びに前記第１平面の上方の第２平面内の第１Ｇ導電層を有し；
前記第１Ａ導電層、前記第１Ｂ導電層及び第１Ｇ導電層は前記内部構造内で互いに電気的に絶縁され；
前記第１Ａ導電層は少なくとも１つの第１Ａ導電層第１タブ、第１Ａ導電層第２タブ及び第１Ａ導電層本体部を有し；
前記第１Ｂ導電層は少なくとも１つの第１Ｂ導電層第１タブ、第１Ｂ導電層第２タブ及び第１Ｂ導電層本体部を有し；
前記第１Ｇ導電層は少なくとも第１Ｇ導電層第１タブ、第１Ｇ導電層第２タブ及び第１Ｇ導電層本体部を有し；
前記第１Ａ導電層第１タブは前記左側表面付近の前記上側表面まで延在し；
前記第１Ａ導電層第２タブは前記左側表面付近の前記下側表面まで延在し；
前記第１Ａ導電層本体部は、前記左側表面より前記右側表面に近く且つ前記下側表面より前記上側表面に近い領域に延在し；
前記第１Ｂ導電層第１タブは前記右側表面付近の前記上側表面まで延在し；
前記第１Ｂ導電層第２タブは前記右側表面付近の前記下側表面まで延在し；
前記第１Ｂ導電層本体部は、前記右側表面より前記左側表面に近く且つ前記上側表面より前記下側表面に近い領域に延在し；
前記外部構造は第１の導電性統合構造、第２の導電性統合構造、第３の導電性統合構造及び第４の導電性統合構造を有し；
前記第１の導電性統合構造は前記第１Ａ導電層第１タブ及び前記第１Ａ導電層第２タブに接触し；
前記第２の導電性統合構造は前記第１Ｂ導電層第１タブ及び前記第１Ｂ導電層第２タブに接触し；
前記第３の導電性統合構造は前記第１Ｇ導電層第１タブに接触し；
前記第４の導電性統合構造は前記第１Ｇ導電層第２タブに接触し；且つ
当該方法は前記エネルギー調整器を含む回路内の電気エネルギーを調整する段階を有する、方法。
【発明の詳細な説明】
【技術分野】
【０００１】
本発明はエネルギー調整に関する。
【背景技術】
【０００２】
低周波数の電力を用いる電気回路は、電力分配システムを介して結合されるノイズを発生する。このノイズは一般的に弊害をもたらす。従来、装置との間で伝播する電力を調整するためにキャパシタが用いられてきた。電力を調整するためにキャパシタが使用されてきた装置の１つの種類は能動回路である。能動回路において、電源ラインからノイズを分離するためにキャパシタが使用されてきた。典型的に、大規模又は超大規模（ＬＳＩ又はＶＬＳＩ）な集積回路（ＩＣ）を必要とする用途においては、複数列のキャパシタがプリント基板上に、設計上の制約下でプリント基板内のＩＣの位置に可能な限り近接させて配列される。この構成により、ＩＣの能動回路からの電源及びグランドの十分なデカップリングがもたらされる。ここでは、用語“バイパス”と“デカップリング”とは相互に入れ替え可能に使用される。
【発明の開示】
【発明が解決しようとする課題】
【０００３】
本発明は、概して調整器ごとのデカップリングを向上させ、且つ必要とする調整器及び例えばビアなどの十分なデカップリングを提供する関連構造が少なくてすむ、新規なエネルギー調整器構造、プリント基板構造等の他の構造上へのエネルギー調整器の接続の新規な組み合わせ、及びプリント基板等の構造を有するエネルギー調整器の新規な回路構成を提供することを目的とする。プリント基板と同様に、新規な調整器や、エネルギー調整器の接続の新規な組み合わせが適用され得る構造は、第１階層の相互接続と、例えばＡＳＩＣ、ＦＰＧＡ、ＣＰＵ、メモリ、送受信器、コンピュータ・オン・チップ等を含む半導体チップとを含む。
【０００４】
本発明は、より具体的には、エネルギー調整器の内部構造及び外部構造、接続構造、並びにＡ、Ｂ及びＧの主電極（マスター電極）を有するエネルギー調整器を含む回路を提供することを目的とする。
【０００５】
ここで開示されるエネルギー調整器の内部構造は、同一の平面内の３つの導電層、又は第１の平面内の２つの導電層及び第２の平面内の第３の導電層、の何れかを含む。
【課題を解決するための手段】
【０００６】
本発明の一態様に従ったエネルギー調整器の内部構造、並びにそれを形成、使用する方法においては、当該内部構造は左側表面、右側表面、上側表面、下側表面、頂部表面及び底部表面を有し；当該内部構造は誘電体材料及び導電性材料を有し；前記誘電体材料の表面及び前記導電性材料の表面は、前記左側表面、前記右側表面、前記上側表面、前記下側表面、前記頂部表面及び前記底部表面を定め；前記導電性材料は第１平面内に第１Ａ導電層、第１Ｂ導電層及び第１Ｇ導電層を有し；前記第１Ａ導電層、前記第１Ｂ導電層及び第１Ｇ導電層は当該内部構造内で互いに電気的に絶縁され；前記第１Ａ導電層は少なくとも１つの第１Ａ導電層第１タブ及び第１Ａ導電層本体部を有し；前記第１Ｂ導電層は少なくとも１つの第１Ｂ導電層第１タブ及び第１Ｂ導電層本体部を有し；前記第１Ｇ導電層は少なくとも第１Ｇ導電層第１タブ、第１Ｇ導電層第２タブ及び第１Ｇ導電層本体部を有し；前記第１Ａ導電層本体部は前記左側表面、前記右側表面、前記上側表面及び前記下側表面の何れにも延在せず；前記第１Ｂ導電層本体部は前記左側表面、前記右側表面、前記上側表面及び前記下側表面の何れにも延在せず；前記第１Ｇ導電層本体部は前記左側表面、前記右側表面、前記上側表面及び前記下側表面の何れにも延在せず；且つ前記第１Ｇ導電層は前記第１Ａ導電層と前記第１Ｂ導電層との間にある。
【０００７】
上記に従った様々な態様において、上記の構造とエネルギー調整器外部構造とを有するエネルギー調整器、及び取付面構造に取り付けられたエネルギー調整器を有する組立体が規定される。組立体において、前記取付面構造は第１の導電性領域、第２の導電性領域及び第３の導電性領域から成り；前記第１Ａ導電層は前記第１の導電性領域に導電的に接続され；前記第１Ｂ導電層は前記第２の導電性領域に導電的に接続され；前記第１Ｇ導電層は前記第３の導電性領域に導電的に接続される。組立体において、前記外部構造は第１の導電性統合構造、第２の導電性統合構造及び第３の導電性統合構造を有し；前記第１の導電性統合構造は前記第１Ａ導電層第１タブ及び前記第１の導電性領域に接触し；前記第２の導電性統合構造は前記第１Ｂ導電層第１タブ及び前記第２の導電性領域に接触し；前記第３の導電性統合構造は前記第１Ｇ導電層第１タブ及び前記第３の導電性領域に接触する。組立体は、前記第１の導電性統合構造は少なくとも前記左側表面にあり、前記第２の導電性統合構造は少なくとも前記右側表面にあり、前記第３の導電性統合構造は前記第１の導電性統合構造と前記第２の導電性統合構造との間にある。組立体において、前記第１Ｇ導電層第２タブ及び前記第３の導電性領域に接触する第４の導電性統合構造を更に有する。組立体において、前記第３の導電性統合構造はまた、前記第１Ｇ導電層第２タブ及び前記第３の導電性領域にも接触する。
【０００８】
上記に従った更なる態様の内部構造が規定される。内部構造において、前記第１Ｇ導電層本体部は前記上側表面付近の領域に延在し；前記第１Ａ導電層本体部は、前記第１Ｇ導電層本体部の一部が該第１Ａ導電層本体部の一部と前記上側表面との間にあるように、前記上側表面より前記下側表面に近い領域で、前記第１Ａ導電層第１タブから前記左側表面に向けて延在し；且つ前記第１Ｂ導電層本体部は、前記第１Ｇ導電層本体部の一部が該第１Ｂ導電層本体部の一部と前記上側表面との間にあるように、前記上側表面より前記下側表面に近い領域で、前記第１Ｂ導電層第１タブから前記左側表面に向けて延在する。前記第１Ｇ導電層第１タブは前記上側表面まで延在し；前記第１Ｇ導電層本体部は更に、前記下側表面より前記上側表面に近い領域で、前記第１Ｇ導電層第１タブから前記左側表面に向けて延在し；且つ前記第１Ｇ導電層本体部は更に、前記下側表面より前記上側表面に近い領域で、前記第１Ｇ導電層第１タブから前記右側表面に向けて延在する。内部構造において、前記第１Ａ導電層第１タブは、前記左側表面、前記上側表面及び前記下側表面の少なくとも１つまで延在する。内部構造において、前記第１Ａ導電層第１タブは、前記左側表面の全て、前記上側表面と前記左側表面との合流部に位置する前記上側表面の一部、及び前記下側表面と前記左側表面との合流部に位置する前記下側表面の一部まで延在する。内部構造において、前記第１Ａ導電層第１タブは前記左側表面のみに延在する。内部構造において、前記少なくとも１つの第１Ａ導電層第１タブは第１Ａ導電層第１タブ及び第１Ａ導電層第２タブから成り；前記第１Ａ導電層第１タブは前記上側表面のみに延在し；且つ前記第１Ａ導電層第２タブは前記下側表面のみに延在する。内部構造において、前記少なくとも１つの第１Ａ導電層第１タブは第１Ａ導電層第１タブ及び第１Ａ導電層第２タブから成り；前記第１Ａ導電層第１タブは前記上側表面のみに延在し；且つ前記第１Ａ導電層第２タブは前記下側表面と前記左側表面とのコーナー部のみに延在する。内部構造において、前記少なくとも１つの第１Ａ導電層第１タブは第１Ａ導電層第１タブ、第１Ａ導電層第２タブ及び第１Ａ導電層第３タブから成り；前記第１Ａ導電層第１タブは前記上側表面のみに延在し；前記第１Ａ導電層第２タブは前記左側表面のみに延在し；且つ前記第１Ａ導電層第３タブは前記下側表面のみに延在する。内部構造において、前記第１Ａ導電層及び前記第１Ｂ導電層は、前記上側表面の中央から前記下側表面の中央に伸びる直線に関して互いに鏡像の関係にある。内部構造において、前記第１Ａ導電層第１タブは前記下側表面と前記左側表面とのコーナー部まで延在し；前記第１Ｂ導電層第１タブは前記上側表面と前記右側表面とのコーナー部まで延在し；前記第１Ｇ導電層第１タブは前記上側表面と前記左側表面とのコーナー部まで延在し；且つ前記第１Ｇ導電層第２タブは前記下側表面と前記右側表面とのコーナー部まで延在する。内部構造において、前記第１Ｇ導電層本体部はＧ導電層本体部面積を有し、前記第１Ａ導電層本体部はＡ導電層本体部面積を有し、前記Ｇ導電層本体部面積か前記Ａ導電層本体部面積より大きい。内部構造は更に第２平面内に第２Ｇ導電層を有し；前記第２Ｇ導電層は少なくとも第２Ｇ導電層第１タブ、第２Ｇ導電層第２タブ及び第２Ｇ導電層本体部を有し；且つ前記第１Ｇ導電層及び前記第２Ｇ導電層は、（１）前記第１Ｇ導電層第１タブ及び前記第２Ｇ導電層第１タブが重なり合い、且つ（２）前記第１Ｇ導電層第２タブ及び前記第２Ｇ導電層第２タブが重なり合うように積層される。内部構造において、前記第２Ｇ導電層は第２Ｇ導電層第１タブ及び第２Ｇ導電層第２タブ以外のタブを含まず、且つ前記第２Ｇ導電層は前記左側表面、前記右側表面、前記上側表面及び前記下側表面の間の領域の大部分を占める。内部構造において、前記第１Ａ導電層、前記第１Ｂ導電層及び前記第１Ｇ導電層は第１のパターンを形成し；第２平面内に第２のパターンを形成する第２Ａ導電層、第２Ｂ導電層及び第２Ｇ導電層を更に有する。内部構造において、前記第２のパターンは前記第１のパターンと異なる。内部構造において、前記第２のパターンは前記第１のパターンと同一であり、且つ前記第２のパターンは前記第１のパターンに対して回転されることなく配置されており、第１の無回転整合ペアを形成している。内部構造において、前記第２のパターンは前記第１のパターンと同一であり、且つ前記第２のパターンは前記第１のパターンに対して180°回転されて配置されており、第１の非整合ペアを形成している。内部構造は更に、各々が前記第１のパターンを有する第２の無回転整合ペアを有する。内部構造は更に、前記第１の無回転整合ペアと前記第２の無回転整合ペアとの間に第２Ｇ導電層を有する。内部構造は更に、各々が前記第１のパターンを有する第２の非整合ペアを有する。内部構造は更に、前記第１の非整合ペアと前記第２の非整合ペアとの間に第２Ｇ導電層を有する。
【０００９】
他の一態様に従ったエネルギー調整器は、内部構造；及び外部構造を有し：前記内部構造は左側表面、右側表面、上側表面、下側表面、頂部表面及び底部表面を有し；前記内部構造は誘電体材料及び導電性材料を有し；前記誘電体材料の表面及び前記導電性材料の表面は、前記左側表面、前記右側表面、前記上側表面、前記下側表面、前記頂部表面及び前記底部表面を定め；前記導電性材料は、第１平面内の第１Ａ導電層及び第１Ｂ導電層、並びに前記第１平面の上方の第２平面内の第１Ｇ導電層を有し；前記第１Ａ導電層、前記第１Ｂ導電層及び第１Ｇ導電層は前記内部構造内で互いに電気的に絶縁され；前記第１Ａ導電層は少なくとも１つの第１Ａ導電層第１タブ、第１Ａ導電層第２タブ及び第１Ａ導電層本体部を有し；前記第１Ｂ導電層は少なくとも１つの第１Ｂ導電層第１タブ、第１Ｂ導電層第２タブ及び第１Ｂ導電層本体部を有し；前記第１Ｇ導電層は少なくとも第１Ｇ導電層第１タブ、第１Ｇ導電層第２タブ及び第１Ｇ導電層本体部を有し；前記第１Ａ導電層第１タブは前記左側表面付近の前記上側表面まで延在し；前記第１Ａ導電層第２タブは前記左側表面付近の前記下側表面まで延在し；前記第１Ａ導電層本体部は、前記左側表面より前記右側表面に近く且つ前記下側表面より前記上側表面に近い領域に延在し；前記第１Ｂ導電層第１タブは前記右側表面付近の前記上側表面まで延在し；前記第１Ｂ導電層第２タブは前記右側表面付近の前記下側表面まで延在し；前記第１Ｂ導電層本体部は、前記右側表面より前記左側表面に近く且つ前記上側表面より前記下側表面に近い領域に延在し；前記外部構造は第１の導電性統合構造、第２の導電性統合構造、第３の導電性統合構造及び第４の導電性統合構造を有し；前記第１の導電性統合構造は前記第１Ａ導電層第１タブ及び前記第１Ａ導電層第２タブに接触し；前記第２の導電性統合構造は前記第１Ｂ導電層第１タブ及び前記第１Ｂ導電層第２タブに接触し；前記第３の導電性統合構造は前記第１Ｇ導電層第１タブに接触し；且つ前記第４の導電性統合構造は前記第１Ｇ導電層第２タブに接触する。
【００１０】
上記に従った様々な態様のエネルギー調整器が規定される。調整器において、前記第３の導電性統合構造及び前記第４の導電性統合構造は当該エネルギー調整器の外表面を囲むバンドを形成する。調整器において、前記第１Ｇ導電層第１タブは前記下側表面まで延在し、前記第１Ｇ導電層第２タブは前記上側表面まで延在する。調整器において、前記第１Ｇ導電層第１タブは前記左側表面まで延在し、前記第１Ｇ導電層第２タブは前記右側表面まで延在する。調整器において、前記導電性材料は前記第１表面の上方の第３平面内の第２Ａ導電層及び第２Ｂ導電層を有し；前記第２Ａ導電層は第２Ａ導電層第１タブ及び第２Ａ導電層第２タブを有し；且つ前記第２Ｂ導電層は第２Ｂ導電層第１タブ及び第２Ｂ導電層第２タブを有する。調整器において、前記第２Ａ導電層第１タブは前記第１Ａ導電層第１タブに重なり；且つ前記第２Ｂ導電層第１タブは前記第１Ｂ導電層第１タブに重なる。
【発明を実施するための最良の形態】
【００１１】
図面は本発明の実施形態の構成要素を示している。相異なる図面における同一の参照符号は、同一の要素、又は類似の構造若しくは機能を有する要素を参照するものである。
【００１２】
図１Ａはプリント基板1を示しており、プリント基板1は側面2、3、4及び5、頂部表面6、別個のキャパシタを取り付けるための構造の配列7、並びにＩＣを取り付けるための領域8を有している。配列7の各辺は例えば列9及び10等の複数の列を定めている。配列7の各要素は別個のキャパシタを取り付ける取付構造を表している。従来のプリント基板は、しばしば、キャパシタを取り付けるための構造を２列以上含む配列を有する。各々の列はキャパシタを取り付けるための数個から何十個という要素の配列を有し得る。基板は、配列7の要素に取り付けられたキャパシタがＩＣへの電力を能動回路から十分に分離し、それによりＩＣ及び結合されたその他の回路が意図されたように機能するように設計される。
【００１３】
従来のキャパシタは２端子の個別（ディスクリート）デバイスである。
【００１４】
図１Ｂは基板1の一部を示しており、電源11、グランド12、配列7の１つの要素に対応する取付構造13、配列7の他の１つの要素に対応する取付構造14、電源面15、及びグランド面16を示している。また、図１Ｂは、取付構造13の下のビア17、18及び19等の、各取付構造から下方に延在する３つのビアを示している。３つ以上のビアを使用することにより、例えば３端子エネルギー調整器などの、従来とは異なるデバイスを取り付けることが可能になる。
【００１５】
動作時、電源11は基板1に取り付けられた回路要素群に、該電源11の電源面15への導電性接続を介して電力を分配する。グランド面16はグランド12に導電接続されている。ビア17及び19は電源面15に導電接続されている。ビア18は電源面15に導電接続されておらず、代わりに電源面15の開口を通ってグランド面16まで達している。電源面15はグランド面16の上方にある。
【００１６】
図２Ａは、基板1に搭載されたエネルギー調整器201を含む組立体200を示している。基板1は、対向する矢印206間の間隔により示される距離205だけ調整器201を基板表面6から隔てるパッド202、203、204を含んでいる。ビア17、18、19は対向する矢印208間の間隔により示されるような幅207を有している。
【００１７】
図２Ｂは調整器201の下方の更なる構造を示しており、この構造は更なる電源面、グランド面及び／又は信号面208、209、210と、ビア18内の導電路が電源面15に短絡することなく電源面15を通過するように通る開口211を含んでいる。更なる電源面、グランド面及び／又は信号面は如何なる具体的な基板内に存在していてもよい。
【００１８】
動作時、１つ以上の電源面を介した電源11からの給電により、領域8に搭載されたＩＣの能動回路が動作するための電力が供給される。配列7の要素群に配列要素当たり１つずつ搭載された調整器群は、さもなければＩＣの能動回路内でのスイッチング等により電力に誘起されるであろう過渡現象をデカップリングする。
【００１９】
図３Ａ乃至３Ｋは、ここで開示される特定の新規エネルギー調整器の外表面3A乃至3Kを示す斜視図である。図３Ａ乃至３Ｋにおいて、“C”は導電性材料を示し、“D”は（電気的に絶縁性の）誘電体を示している。導電性部分Cはここでは帯（バンド）又は外部端子とも呼ばれ得る。
【００２０】
以下にて開示されるエネルギー調整器の内部構造とともに説明するため、図３Ａは、各々がC1、C2、C3及びC4と表記される導電性バンドCを示し、図３Ｇは、各々がC1−C6と表記される導電性バンドCを示している。
【００２１】
図４Ａ乃至４Ｏは、新規の個別エネルギー調整器を１つ取り付けるための取付構造の導電性要素の構成を１つずつ示している。これらの構成はランドパターンとも呼ばれる。取付面はプリント基板の表面、第１階層の相互接続、又は半導体チップであってもよい。
【００２２】
図４Ａが示す取付面構造の構成4Aは、ほぼ長方形の形状をした３つの導電性パッド401、402、403の組を含んでいる。導電性パッド401、402、403は比較的長い辺（符号が付されていない側）と比較的短い辺とを有している。比較的短い辺には401A、402A、403Aの符号が付されている。比較的短い辺401A、402A、403Aは、１つの直線が全ての短辺401A、402A、403Aと実質的に接触するように互いに対して整列されている。導電性パッド401はビア401V1、401V2を含んでいる。導電性パッド402はビア402V1、402V2を含んでいる。導電性パッド403はビア403V1、403V2を含んでいる。ビア401V1、402V1、403V1は１つの直線がこれらと交差するように整列されている。ビア401V2、402V2、403V2も１つの直線がこれらと交差するように整列されている。
【００２３】
構成4Aの代替例においては、パッド群は互いに異なる大きさ、長さ又は幅を有していてもよい。例えば、パッド402はパッド401、403より短くてもよい。
【００２４】
構成4Aの他の代替例においては、外側のパッド群は中央のパッドとは異なる形状を有していてもよい。例えば、外側のパッド401、403は互いに等しい長さを有しながら、中央のパッド402より短かったり長かったりしてもよい。
【００２５】
構成4Aの他の代替例においては、ビアが導電性パッドの設置部内に完全に包含されないように、ビアは帰属するパッドの幅又は長さより大きい直径を有していてもよい。例えば、ビアの直径は導電性パッドの幅に等しくてもよいし、あるいは導電性パッドの幅の1.5倍、2倍又は3倍であってもよい。
【００２６】
構成4Aの他の代替例においては、ビアは互いに異なる断面直径を有していてもよい。例えば、中央のパッド402に接続されているビアの断面直径は、外側のパッド401、403に接続されているビアの断面直径の1/3倍、1/2倍、1倍、1.5倍、2倍又は3倍であってもよい。
【００２７】
構成4Aの他の代替例においては、ビア402V1、402V2は互いに対して、ビア401V1、401V2間の間隔及びビア403V1、403V2間の間隔より大きく、あるいは小さく離されていてもよい。
【００２８】
構成4Aの他の代替例においては、各導電性パッドは１つ、２つ、３つ又はそれより多くのビアを含んでいてもよい。例えば、各導電性パッド401、402、403は１つのビアを含んでいてもよい。あるいは、例えば、パッド401、403は２つ又は３つのビアを含み、パッド402は１つのビアを含んでいてもよい。また、例えば、パッド401、403は１つのビアを含み、パッド402は２つ又は３つのビアを含んでいてもよい。
【００２９】
構成4Aの他の代替例においては、以上の構成において、パッドは存在せずに単に導電性ビアのみが存在していてもよい。例えば、３つのビアを有する２つの平行な列である。
【００３０】
構成4Aの他の代替例においては、一部のパッドはビアを接続しており、一部は接続していなくてもよい。例えば、中央のパッド402は１つ、２つ、３つ又はそれより多くのビアを含み、外側のパッド401、403はビアを含んでいなくてもよい。あるいは、例えば、中央のパッド402はビアを含んでおらず、外側のパッド401、403は１つ、２つ、３つ又はそれより多くのビアを含んでいてもよい。
【００３１】
構成4Aの他の代替例においては、ビアの断面は円形ではなく、例えば楕円形、細長い形状、又は不規則な形状であってもよい。
【００３２】
図４Ｂ−４Ｌは以上の代替例の様々な実施形態を示している。
【００３３】
図４Ｂは、パッド402のビアが互いに、パッド401又はパッド403のビア間隔より広く離されている取付構造の構成4Bを示している。
【００３４】
図４Ｃは、細長い楕円形の断面形状をしたビアを有する取付構造の構成4Cを示している。
【００３５】
図４Ｄは、パッド401、402、403の各々に単一のビアを有する取付構造の構成4Dを示している。
【００３６】
図４Ｅは、外側のパッド401、403が中央に位置付けられた１つのビアを有している取付構造の構成4Eを示している。
【００３７】
図４Ｆは、パッド401、402、403がビアを有していない取付構造の構成4Fを示している。この代替例においては、各パッドから導電配線がこの構造の表面に沿って延ばされる。
【００３８】
図４Ｇは、パッド401、402、403の各々が３つのビアを有し、各パッドの各ビアが他の２つのパッドのそれぞれ１つのビアに整列されている取付構造の構成4Gを示している。
【００３９】
図４Ｈは、各パッドに単一のビアを有し、中央のパッド402が外側のパッド401、403より短い取付構造の構成4Hを示している。
【００４０】
図４Ｉは、等しい長さのパッド401、402、403を有し、中央のパッド402は唯一のビアに接続され、外側のパッド401、403は２つのビアに接続されている取付面構造の構成4Iを示している。
【００４１】
図４Ｊは、３対のビアを有するがパッドを有していない取付構造の構成4Jを示している。
【００４２】
図４Ｋは、外側のパッド401、403は２つのビアに接続され、中央のパッド402は３つのビアに接続されている取付構造の構成4Kを示している。
【００４３】
図４Ｌは、中央のパッド402は１つのビアに接続され、外側のパッド401、403はビアを有していない取付構造の構成4Lを示している。
【００４４】
図４Ｍは、中央のパッド402がパッド401、403より、また該中央のパッド402内のビアより更に延在している取付構造の構成4Mを示している。
【００４５】
図４Ｎは、ビア410がビア411より大きい直径を有している取付構造の構成4Nを示している。また、大きいビア410は他の小さい直径のビア411より中央に位置付けられている。すなわち、図４Ｎは、互いに異なる寸法を有し、且つ接続されるエネルギー調整器に対して大きい方のビアがより中心近くに位置付けられる導電的に充填又は裏打ちされたビアによる利益を意図するものである。
【００４６】
図４Ｏは、中央のパッド402が対称的にパッド401、403より更に延在している取付構造4Oを示している。
【００４７】
好ましくは、各パッドのビアはパッド中央の両側に対称的に隔てられる。好ましくは、ビアの構成は中央のパッド402の中心点に関して対称である。
【００４８】
本発明の発明者により、取付構造の導電性要素とエネルギー調整器内のＡ、Ｂ及びＧ主電極（以下にて定められる）との間の導電性接続を提供する、取付構造（パッド、ビアの組み合わせ、大きさ及び形状）及びそれに取り付けられるエネルギー調整器の構成の全ての変形例が意図される。Ａ、Ｂ及びＧ主電極の各々は、エネルギー調整器の表面の一部を形成する領域を有するか、エネルギー調整器の表面の一部を形成する導電性バンド（外部電極）に内部で物理的に接触するかである。故に、Ａ、Ｂ及びＧ主電極への好適な接続を提供する、導電性バンド構造及び取付構造の全ての変形例が意図される。さらに、本発明の発明者により、基板に搭載されて半田付けされ（あるいは導電的に貼り付けられ）、それによりＡ、Ｂ及びＧ主電極を取付構造の導電性領域に接続することが可能な、導電性バンド（外部電極）を有しないエネルギー調整器の全ての変形例が意図される。
【００４９】
ここで、導電性統合領域は、主電極の層のタブへの接触を提供し、それによりそれら導電層を１つの主電極に導電的に一体化する導電性バンド又は等価な半田の何れかを意味する。タブは、エネルギー調整器の内部構造の導電層の内の、該内部構造の上側、下側、左側又は右側に延在する部分を意味する。内部構造の導電層の本体部分は、内部構造の上側、下側、左側又は右側には延在していない導電層部分を意味する。
【００５０】
故に、本発明の発明者により、調整器を表面に取り付けるための取付構造構成と、（１）Ａ、Ｂ及びＧ主電極のための好適な接続を提供するエネルギー調整器の導電性バンド又は露出されたＡ、Ｂ及びＧ主電極表面の何れかとの全ての組み合わせが意図される。
【００５１】
新規なエネルギー調整器と表面取付構造との一部の組み合わせは、（１）例えば半田接続などの、Ａ及びＢ主電極の片側に接続された１つ以上の、且つ好ましくは全ての導電性バンドへの第１の導電的且つ機械的な接触、（２）例えば半田接触などの、Ａ及びＢ主電極の反対側に接続された１つ以上の、且つ好ましくは全ての導電性バンドへの第１の導電的且つ機械的な接触、及び（３）Ｇ主電極の対向する端部の双方に接続された１つ以上の、且つ好ましくは全てのバンドへの第３の導電的な接触を提供する。電気的接触への以上の言及には、例えば誘電体のキャップ又は層がビアに沿って何処かに存在する場合のように、ＤＣ電流が遮断される状況も含まれる。
【００５２】
図５Ａは現段階で好ましい取付構造に関する幾何学量及び寸法を示している。図５Ｂは現段階で好ましい他の取付構造に関する幾何学量及び寸法を示している。
【００５３】
数値計算によって、図５Ａ及び５Ｂに示される値は０６０３Ｘ２Ｙ型エネルギー調整器が搭載されたときに優れたデカップリングを提供することが算出されている。０６０３Ｘ２Ｙ型キャパシタは1nFから100nFの静電容量と、それぞれ0.8、0.6、0.6及び0.4mmの公称長さ、幅、厚さ、及び高さを有している。これは、例えば、ＵＲＬ：http://www.yageo.com/pdf/X2Y_series_10.pdf?5423212=EE8DCCAFD2263EBA74A6443AF7A8BC75&4620207=に示されている。
【００５４】
図６Ａ及び６Ｂは各々、一定の外表面を有する新規なエネルギー調整器の、取付構造上の動作可能位置への結合を概略的に示している。
【００５５】
図６Ａは、取付構造4A上でのエネルギー調整器601の配置6Aを示している。調整器601は外表面構造3Aを有している。導電性バンドC1は導電性パッド401上にある。導電性バンドC2の一部は導電性パッド402の第１の端部上にある（何故なら、導電性バンドC2の端部は導電性パッド402を超えて延在している）。導電性バンドC3は導電性パッド403上にある。導電性バンドC4は導電性パッド402の第２の端部上にある。導電性パッド402の第１及び第２の端部は互いにエネルギー調整器601の反対側にある。ビアとパッドの見えない部分とは破線で示されている。
【００５６】
図６Ｂは、図４Ｏの構成4O上に取り付けられたエネルギー調整器602の構成6Bを示している。調整器602もまた外表面構造3Aを有している。導電性バンドC1、C3は導電性パッド402の対向端部付近に接触している。導電性バンドC4、C2はそれぞれ導電性パッド401、403に接触している。
【００５７】
図６Ｃは、取付構造4J上に取り付けられたエネルギー調整器603の構成6Cを示しており、この図は、調整器603の導電性バンド及び半田が取付構造4Jのビア上に位置整合されていることを示している。
【００５８】
図７−１２はＡ、Ｂ及びＧ主電極を有するエネルギー調整器を含み、これらの調整器の特別な特性に関係する回路を示している。Ｇ主電極は集中回路表記では接続箇所に意味を持たない単一の導電性構造であるにも拘わらず、Ｇ主電極の少なくとも２箇所、好ましくは互いに対して反対側の２箇所での接続は有意な効果をもたらすことが、本発明の発明者により突き止められた。回路図は表記の正確さのために集中回路モデルに頼っている。集中回路の図面において分布回路設計に関する幾何学的な要求を表現するため、ここでは、エネルギー調整器を概略的に、Ａ、Ｂ及びＧ端子を有する少なくとも３端子のデバイスとして表現する。各主電極には更に多くの端子が存在していてもよく、更なる主電極が同一部品内に集積されていてもよい。また、本発明の発明者により、Ａ、Ｂ及びＧ主電極構造に対するＡ、Ｂ及びＧ電極端子の相対的な位置がエネルギー調整器の性能に影響を及ぼし得ることが突き止められた。図７−１２は、故に、この主のエネルギー調整器に特有な回路を示している。
【００５９】
図７−１２において、外部端子AはＡ主電極に導電的に接続されており、外部端子BはＢ主電極に導電的に接続されており、外部端子G1はＧ主電極に導電的に接続されている。より具体的には図７−１２にて使用されているように、実施形態はＧ主電極の第１の側に導電的に接続された外部端子G1と、Ｇ主電極の異なる側に導電的に接続された外部端子G2などの、少なくとも２つのＧ外部端子を有する。
【００６０】
図７−１２の各々は調整器700と外部端子A、B、G1及びG2とを示している。Ｇ主電極は部分702、705によって表されており、Ａ及びＢ主電極はそれぞれ平坦な板状要素703、704によって表されている。調整器700の内部で、Ｇ主電極はＡ主電極とＢ主電極との間で間隔を設けて配置され、あるいはＢ主電極によるＡ主電極上での電荷蓄積の効果をシールドするよう作用する。これは、Ａ及びＢ主電極の平坦な板状要素703、704の間に延在するＧ主電極部分702によって概略的に表されている。Ｇ主電極部分705は、調整器700の外部空間に対してＡ及びＢ主電極をＧ主電極によってシールドすることを概略的に表している。
【００６１】
図７は、Ａ、Ｂ及びＧ主電極を有する調整器700に関する回路1の構成を示している。回路1において、外部端子Aは電源と負荷との間の導電路SのノードASに導電的に接続されている。また、外部端子Bは負荷と電源との間の帰還導電路RのノードBRに導電的に接続されている。さらに、外部端子G1及びG2の双方はグランド／一定電位源Pに導電的に接続されている。電源と負荷との間の導電路の上下の矢印は、ループ内を流れる電流を示している。
【００６２】
図８は、外部端子Aが経路SのノードASに結合され、外部端子Bがやはり経路SのノードBSに結合され、外部端子G1が経路RのノードG1Rに結合され、そして外部端子G2がやはり経路RのノードG2Rに結合された回路2の構成を示している。
【００６３】
図９は、外部端子Aが経路SのノードASに結合され、外部端子Bが経路RのノードBRに結合され、外部端子G1が経路RのノードG1Rに結合され、そして外部端子G2が経路RのノードG2Rに結合された回路3の構成を示している。
【００６４】
図１０は、外部端子Aが経路Sのノードに結合され、外部端子G1、B及びG2が経路Rのノードに結合された回路4の構成を示している。
【００６５】
図１１は、外部端子Aが第１の電源から負荷への電源経路S1のノードに結合され、外部端子Bが第２の電源から負荷への経路S2のノードに結合され、そして外部端子G1及びG2が共通の帰還経路CRに結合された回路5の構成を示している。
【００６６】
図１２は、外部端子Aが経路Rのノードに結合され、外部端子Bが経路Rのノードに結合され、そして外部端子G1及びG2が経路Sのノードに結合された回路6の構成を示している。
【００６７】
続いて、エネルギー調整器の内部構造の外部構造との関係について説明する。図１３−５７は、図３Ａ−３Ｋの外表面3A−3Kの内部の構造を概略的に示している。図１３−５７の導電層の構成は、Ａ主電極の導電層群が同一の導電性バンド又は一体となったバンド群と接触し、Ｂ主電極の導電層群が同一の導電性バンド又は一体となったバンド群と接触し、そしてＧ主電極の導電層群が同一の導電性バンド又は一体となったバンド群と接触するように、外表面3A−3Kに関連して構成されることができる。他の例では、導電性バンドに代えて、調整器の側部に付加された半田が、Ａ主電極の導電層群を相互に、Ｂ主電極の導電層群を相互に、そしてＧ主電極の導電層群を相互に導電的に接触させてもよい。同一の半田コンタクトはまた、図４Ａ−４Ｏに示された取付構造の対応する導電性領域に接触させられ得る。
【００６８】
続いて、“板”の意味、内部接続及びＩＣの代替実施形態について説明する。用語“板”は、ここでは概して、誘電体の下側層が０、１又は２以上の別個の導電性の上側層と結合されたものを定義することにより、説明を簡略化するために使用される。しかしながら、意味を有する構造は、誘電体材料によって隔てられた一連の導電層である。以下の図面において板として参照される構造の隠された表面は誘電体の表面、すなわち、定められた導電層を互いに上下（積層）方向に分離する誘電体材料を表している。個別（ディスクリート）エネルギー調整器部品の実施形態においては、この構造はしばしば、誘電体前駆物質（グリーン材料）を導電層の前駆物質（導電性ペースト等）と積層し、その積層化された構造を、誘電体前駆物質を所望の構造的に硬い誘電体材料に変化させ、且つ導電性前駆物質層を比較的高導電率（低抵抗率）の導電層に変化させるのに十分な温度で焼成することによって形成される。しかしながら、相互接続及び半導体構造内に形成される実施形態は、図１３−４８、５０、５２、５４及び５６に示される構造に等価な、あるいは対応する構造を製造するために、従来からのリソグラフィ技術を含む異なる技術を使用することになるであろう。重要なことは、以下にて説明されるスタック層の導電性バンド及び半田接続は、多くの場合、同一の主電極の導電層群を選択的に相互に接続する導電的に充填された、あるいは裏打ちされたビアの配列で置き換えられるということである。これらのビアは、好ましくは、ここで説明されるようにＡ、Ｂ及びＧの層群のタブ領域に選択的に接触するように空間を設けられる。
【００６９】
形成機構に拘わらず、デカップリングに機能的に重要であるものは、主電極の形態の存在、外部導電構造との組立体、取付構造との組立体、及び回路1乃至6への一体化である。
【００７０】
続いて、エネルギー調整器の内部構造に共通する特徴について説明する。主電極とは、エネルギー調整器内部の導電層又は導電性領域、及び１つの一体化された導電構造を形成するように、それらの導電層又は導電性領域に物理的に接触するエネルギー調整器内部構造のことを言う。
【００７１】
エネルギー調整器の内部構造は、他の導電層又は導電性領域から誘電体材料によって空間的に隔てられた導電層又は導電性領域を含んでいる。導電層又は導電性領域の各々は、誘電体材料の端部又は周囲まで、あるいは等価的に内部構造の表面まで、延在する領域であるタブ領域を有している。エネルギー調整器において、各導電層の各タブ領域の端部は導電性統合領域に接触させられている。外表面の導電構造は、個別エネルギー調整器に不可欠な導電性バンドであってもよいし、あるいは、やはりエネルギー調整器の内部構造を取付構造に取り付けるために使用される半田によってもよい。単一の主電極を形成するように設計された複数の導電層又は導電性領域を有するエネルギー調整器の内部構造においては、これら導電層又は導電性領域のタブは、単一の導電性タブがこれら導電層又は導電性領域に導電的に接続されて１つの主電極を形成するように、層の積層体内で上下方向に位置整合される。
【００７２】
他の例では、あるいは主電極の導電層又は導電性領域の外部に露出された端部に接続される導電性バンド又は半田に加えて、導電的に充填された、あるいは裏打ちされたビアが同一の導電層又は導電性領域に選択的に接続されてもよい。
【００７３】
続いて、エネルギー調整器の内部構造とエネルギー調整器の外部構造との間の関係について説明する。図１３−４８、５０、５２、５４及び５６に示されるエネルギー調整器の内部構造の各々は、２つの異なる構成をした図３Ａ−３Ｋの外表面3A−3Kの何れかに属していてもよい。一方の構成において、Ｇ主電極のＧ導電層の第１のタブの組は外表面3A−3Kの（図３Ａ−３Ｋに示される）左側及び右側にある。他方の構成においては、Ｇ主電極の同じＧ導電層の同じ第１のタブの組は外表面3A−3Kの（図３Ａ−３Ｋに示される）上側及び下側にある。図１３−４８、５０、５２、５４及び５６に示されるエネルギー調整器の内部構造、及び外表面3A−3Kの各々において、Ａ及びＢの主電極の導電層の各々は、外表面3A−3Kの対応する１つの少なくとも１つの導電性バンド（又は、半田が付加されるときには半田）に接触するように延在する領域を有している。
【００７４】
続いて、エネルギー調整器の内部構造、エネルギー調整器の外部構造、及び回路1−6の間の関係について説明する。少なくとも、Ａ及びＢの主電極が回路の同一の導電経路に結合されない回路（回路1、3、4及び5；図７−１２参照）においては、Ａ主電極の導電層又は導電層群は外表面3A−3K上で、Ｂ主電極の導電層又は導電層群と同一の導電性バンドには接触させられない。
【００７５】
少なくとも、Ａ主電極が回路のＧ主電極と同一の導電経路に結合されない回路（回路1−6；図７−１２参照）においては、Ａ主電極の導電層又は導電層群は外表面3A−3K上で、Ｇ主電極の導電層又は導電層群と同一の導電性バンドには接触させられない。
【００７６】
少なくとも、Ｂ主電極が回路のＧ主電極と同一の導電経路に結合されない回路（回路1、2及び6；図７−１２参照）においては、Ｂ主電極の導電層又は導電層群は外表面3A−3K上で、Ｇ主電極の導電層又は導電層群と同一の導電性バンドには接触させられない。
【００７７】
続いて、図１３−５６に示された様々な内部構造に共通する特徴について説明する。
【００７８】
図１３−４８、５０、５２、５４及び５６の各々はエネルギー調整器の内部構成を示している。
【００７９】
図１３−４０及び４５−４８は全て、各々がタブを有し且つ各々がＡ、Ｂ及びＧ主電極の導電層である３つの別個の導電性領域が備えられた少なくとも１つの層を有する内部構造の実施形態を示している。
【００８０】
図１３−２８、及び図３３の積層体33A、33Bは、各々がタブを有する３つの別個の導電性領域を含む１枚の板構造の単一層を有する内部構造の実施形態を示している。
【００８１】
図４５−４８は全て、各々がタブを有する４つの別個の導電層が備えられた板を有する内部構造の実施形態を示している。
【００８２】
図１３−２３及び２５−２８が示す板の積層体は、各々の板が同一板内にＡ主電極の１つの導電層とＢ主電極の１つの導電層とを有しており、且つこれら２枚の板は、各図の紙面内で縦方向又は横方向に延在する対称線に関して互いに鏡像の関係にある。
【００８３】
図１３−４０は全て、各々がタブを有する３つの別個の導電性領域が備えられ、１つの導電性領域であるＧ層がその他の２つの導電性領域を分離している板を有する内部構造の実施形態を示している。３つの別個の導電性領域を有するこれらの図の板においては、Ｇ領域を有する第１の板と同一のパターンを有し、且つ第１の板に対して180°回転されて第１の板に積層された第２の板により、各板内のＧ領域のタブが少なくとも部分的に相互に重なり合い、その他の導電性領域のタブの部分が相互に重なり合い、そしてＧ領域の部分がその他の２つの導電性領域の部分と重なっている。
【００８４】
図５０及び５２は、Ａ主電極の１つの導電層とＢ主電極の１つの導電層とを含む表面を有する１枚の板、及びＧ主電極の１つの導電層を含む表面を有する１枚の板のみを含む構造を示している。
【００８５】
図５４及び５６は、各々がＡ主電極の１つの導電層とＢ主電極の１つの導電層とを含む表面を有する２枚の板、及びＧ主電極の１つの導電層を含む表面を有する１枚の板のみを含む構造を示している。
【００８６】
図３７、図３８の積層体38E及び38G、並びに図４０の積層体40A−40Cの各々は、１つの板に含まれるＡ主電極の導電層のかなりの領域が他の板上のＢ主電極の導電層の対応する領域に、それらの間にＧ主電極の導電層の介在なしで対向しているような板を含む構造を示している。
【００８７】
図３８の積層体38H及び図４０の積層体40Cは、積層体の一端又は両端上の最も外側の導電層群が一連となった２つ以上の導電層を有する構造を示している。
【００８８】
続いて、図１３−５７について詳細に説明する。これらの図において、紙面の横方向又は縦方向に配置して示される積層体の板は、紙面の横方向又は縦方向に展開される順番で積層体内に存在する。各積層体は紙面に垂直な方向に互いに隔てられた頂部及び底部を含んでいる。また、各積層体の各板は紙面において左側LS、右側RS、上側US及び下側LLSを有するとして図示されている。
【００８９】
図１３は、LS、RS、US及びLLSまで一様に延在する誘電体材料を含む板1300を示している。板1300の誘電体材料の表面には、Ａ主電極の部分であるように設計された導電層A1とＢ主電極の部分であるように設計された導電層B1と、Ｇ主電極の部分であるように設計された導電層G1とが備えられている。導電層A1とB1とは、（１）導電層G1及び導電層G1の何れかの側の露出された誘電体表面Dによって互いに隔てられている。導電層A1はLS全体及びUSとLLSとの左端部まで延在するタブA1Tを有している。導電層B1はRS全体及びUSとLLSとの右端部まで延在するタブB1Tを有している。導電層A1は板1300の下半分でLSからRSまでの距離の過半未満までタブA1Tを超えて延在する本体部A1Mを有している。導電層B1は板1300の下半分でRSからLSまでの距離の過半未満までタブB1Tを超えて延在する本体部B1Mを有している。導電層G1はUSの中央部の第１のタブG1T1とLLSの中央部の第２のタブG1T2とを有している。導電層G1はまたUS付近まで、そしてRSとLSとの双方の付近まで延在する本体部G1Mを有している。G1Mの下端はA1M及びB1Mの上端部分に対向している。G1T1の各々の側部のG1Mの上端は誘電体領域を挟んでUSに対向している。LLSからUSへの方向でのG1M、A1M及びB1Mの長さは図示されたものより長くても短くてもよい。これらにより、多層積層体内のＧ層、又はＡ及びＢ層が、重なり合ったＧ本体部、又はＡ及びＢ本体部を有する実施形態がもたらされる。例えば、G1Mは上記方向に、LLSからUSまでの長さの半分以上の長さを有していてもよい。
【００９０】
エネルギー調整器の内部構造の第１の実施形態において、内部構造は図１３に示された１枚の板のみを含んでいる。この実施形態においては、Ａ、Ｂ及びＧ主電極は導電層A1、B1及びG1の各々によって形成される。
【００９１】
図１４は、導電層の面内で図１３に示された板1300に対して180°回転された板1300を示している。
【００９２】
エネルギー調整器の内部構造の第２の実施形態においては、図１４に示されるように方向付けられた板1300が、図１３に示されたように方向付けられた板1300上に積層される。この実施形態においては、一方の板のタブG1T1が他方の板のタブG1T2に位置整合され、１つの導電性統合領域が双方のタブに接触することが可能になる。同様に、双方の板のA1Tは揃っており、導電性統合領域が双方の板に接触することが可能になる。同様に、双方の板のB1Tは揃っており、導電性統合領域が双方の板に接触することが可能になる。
【００９３】
第３の実施形態においては、内部構造の積層体内に更なる板1300が存在する。好ましくは、偶数枚の板が存在し、１枚おきに180°回転させた向きを有する。
【００９４】
図１５−２８は全て、図１３の実施形態の代替例である１枚の板構造から成る内部構造を提供するものである。
【００９５】
図１５−２４、２７及び２８は全て、図１３及び１４の積層体の第２及び第３の実施形態の代替的な内部構造を実現するように積層化することを可能にする代替例を提供するものである。
【００９６】
図１３と比較して図１５−２８に特有の特徴について説明する。
【００９７】
図１５は、同一の幅を有するタブG1T1及びG1T2を含んでいる。
【００９８】
図１６は、G1Mと左右方向に同一の幅を持つG1T1を有するＧを示している。
【００９９】
図１７は、LSの一部のみに延在するタブA1T及びB1Tと、G1T1の左端部及び右端部を超えて延在するG1Mとを示している。
【０１００】
図１８は、LSの一部のみに延在するタブA1T及びB1Tと、G1T1と左右方向に同一の幅を有するG1Mとを示している。
【０１０１】
図１９は、US付近からLS又はRSの下端までLS又はRSに沿って、そしてLS又はRS付近のLLSの一部に沿って延在するA1T及びB1Tと、幅が等しいG1T1及びG1T2とを示している。
【０１０２】
図２０は、US付近からLS又はRSの下端までLS又はRSに沿って、そしてLS又はRS付近のLLSの一部に沿って延在するA1T及びB1Tと、G1T1と左右方向に同一の幅を有するG1Mとを示している。
【０１０３】
図２１は、LS付近のUSにあるタブA1T1と、LSとLLSとの合流点にあるタブA1T2と、それに対称なタブB1T1及びB1T2の配置とを示している。
【０１０４】
図２２は、LS付近のUSにあるタブA1T1と、LSの中央部にあるA1T2と、LS付近のLLSにあるA1T3と、それらに対応して対称なＢ導電層のタブとを示している。
【０１０５】
図２３は、LSとUSとの合流点にあるタブA1T1と、それに対応してLLS及びRSの合流点にあるB1T2と、LS付近のLLSにあるタブA1T2と、それに対応してRS付近のUSにあるタブB1T1とを示している。
【０１０６】
図２４はＡ及びＢの導電層のタブ間の非対称性を示しており、Ａ導電層は（LS付近のUS及びLLSに）２つのタブを有し、Ｂ導電層は（RS付近のUS及びLLSにあるタブとRSにあるタブを含む）３つのタブを有している。
【０１０７】
図２５は、LSとUSとの合流点にタブA1Tを有する導電層A1を具備する板を示している。図２５はまた、RSとLLSとの合流点にタブB1Tを有する導電層B1を示している。図２５はまた、（１）USとRSとの合流点及び（２）LSとLLSとの合流点にタブG1T1及びG1T2を有する導電層G1を示している。図１３−２４に示された板と同様に、Ｇ導電層はＡ導電層とＢ導電層とを隔てている。一方、図１３−２４に示された板と異なり、各層のタブはその本体部と同一の幅を有している。また、図１３−２４に示された板と異なり、図２５のパターンを有する２枚の板を180°回転させた配置で積層することは、Ａ層のタブの相互間、Ｂ層の相互間、又はＧ層の相互間の位置整合をもたらさない。
【０１０８】
図２６は、図２５に示された板の別の図である。
【０１０９】
図２７は、各々がUS及びLLSにタブを有し、LS又はRSにはタブを有していないＡ、Ｂ及びＧ層を示している。
【０１１０】
図２８は、図２７に類似しているが、タブG1T1及びG1T2は相異なる幅を有している。
【０１１１】
図２９−３２は、一組の関連内部構造を示している。これらの構造に共通する特徴を図２９に示された符号を参照して説明する。
【０１１２】
図２９−３２は図２９の板29A、29Bのような板を示している。板29A（及び板30A、31A、32A）は、誘電体Dによって互いに隔てられた導電層A1、B1及びG1を含んでいる。導電層A1は１つ以上のタブと本体部A1Mとを含んでいる。導電層B1は１つ以上のタブと本体部B1Mとを含んでいる。本体部A1Mは板29Aの上半分で、LS付近からRSへの道のりの半分より多く延在している。本体部B1Mは板29Aの下半分で、RS付近からLSへの道のりの半分より多く延在している。導電層G1はタブG1T1及びG1T2と、導電層G1がA1とB1との間に延在するように双方のタブG1T1及びG1T2の間を接続する部材を含んでいる。タブG1T1はUSの中央部にあり、タブG1T2はLLSの中央部にある。
【０１１３】
板29B（及び板30B、31B、32B）は、誘電体Dによって互いに隔てられた導電層A2、B2及びG2を含んでいる。導電層A2は１つ以上のタブと本体部A2Mとを含んでいる。導電層B2は１つ以上のタブと本体部B2Mとを含んでいる。本体部A2Mは板29Bの下半分で、LS付近からRSへの道のりの半分より多く延在している。本体部B2Mは板29Bの上半分で、RS付近からLSへの道のりの半分より多く延在している。導電層G2はタブG2T1及びG2T2と、導電層G2がA2とB2との間に延在するように双方のタブG2T1及びG2T2の間を接続する部材を含んでいる。タブG2T1はUSの中央部にあり、タブG2T2はLLSの中央部にある。
【０１１４】
本体部はLLSからUSへの方向で互いに異なる幅を有するように示されているが、それらは同一の幅を有していてもよい。他の例では、A1、B1、又はA1、B1、A2及びB2の導電層の各々に、交互に配置（インターリーブ）された複数の本体部が存在していてもよい。このような交互配置を有する実施形態においては、G1導電層はＡ及びＢの導電層の交互配置された本体部の間を蛇行する。
【０１１５】
図２９−３２の板の積層体の各々において、層A1の本体部の一部はB2の本体部の一部と重なり、層A2の本体部の一部はB1の本体部の一部と重なる。
【０１１６】
図２９−３２は、導電層A1及びB1のタブの形態によって区別される。図２９、３０及び３２において、層A1及びA2のタブは重なり合い、位置が揃っている。図２９においては、層A1及びA2はLS付近のUS及びLLSにタブを有し、層B1及びB2はRSにではなくRS付近に対応するタブを有している。図３０及び３２においては、Ａ層のタブはLSのみにあって重なり合い、位置が揃っている。また、Ｂ層のタブはRSのみにあって重なり合い、位置が揃っている。
【０１１７】
図２９、３０及び３２におけるタブの位置の整合性は、単一のＡ主電極を形成するための導電性統合領域によるA1及びA2の接続を容易にする。層B1とB2、及びＧ層に関してＢ主電極及びＧ主電極を形成することも同様である。
【０１１８】
図３１においては、Ａ層のタブは重なり合ったり揃ったりしていない。この構造はＡ１主電極、Ａ２主電極、Ｂ１主電極及びＢ２主電極とＧ主電極を設ける導電性統合領域を容易にする。
【０１１９】
図２９−３２の内部構造の代替実施形態は、積層体内に１枚以上の更なる板29A、29B、30A、30B、31A、31B、32A、32Bを含む。好ましくは、各積層体は同一種類（29、30、31又は32）の板を含む。また、好ましくは、代替的な内部構造の各々は板29A及び29B、30A及び30B、31A及び31B、又は32A及び32Bの対を有する。
【０１２０】
図３３は板の積層体33A−33Eを示している。各積層体は頂部の板Dとともに示されており、これは、内部構造の導電層が好ましいことにタブ領域を除いて導電的な接触に露出されないことを指し示している。積層体33C−33Eの各々は、Ａ及びＢの導電層を分離する中央のＧ導電層を各々が有する２枚の板について、様々な構成を示している。積層体33Cは位置整合された同一パターンを有する板の積層体を示しており、積層体33D及び33Eは180°回転された同一パターンを有する板の積層体を示している。
【０１２１】
図３４は板の積層体34A−34Eを示しており、各積層体は導電層A1、B1及びG1を有する少なくとも１枚の板と、２つのタブを有する導電層G2のみを有する少なくとも１枚の板とを含んでいる。導電層G1及びG2のタブは重なり合っており、導電性統合領域が層G1及びG2を導電的に接続することを可能にしている。
【０１２２】
図３３及び３４の内部構造の実施形態の代替実施形態は、Ａ、Ｂ及びＧの導電層、又はＧ導電層のみの何れかを各々が有する１つ以上の更なる層を含む。
【０１２３】
図３３−４０の内部構造の実施形態の代替実施形態は、Ａ、Ｂ及びＧの導電層、又はＧ導電層のみの何れかを各々が有する１つ以上の更なる層を含む。
【０１２４】
図３５及び３６はこれらの代替実施形態を示している。図３５の積層体35A−35Cは、Ａ、Ｂ及びＧの導電層を有する３枚の板を、それらが取り得る全ての位置整合について示している。積層体35Dは、交互に180°回転させた、Ａ、Ｂ及びＧの導電層を有する板を示している。積層体35Eは、Ａ、Ｂ及びＧの導電層を有する３枚の板と、Ｇ導電層のみを有する底部の１枚の板とから成る積層体を示している。
【０１２５】
積層体36A及び36Bは、ある場合には位置整合された、他の場合には180°回転された、Ａ、Ｂ及びＧの導電層を有する一対の板の頂部及び底部に、Ｇ導電層のみを有する板がある積層体を示している。積層体36Cは、Ａ、Ｂ及びＧの導電層を有する板の間に、Ｇ導電層のみを有する板が交互に配置された積層体を示している。積層体36D及び36Eは、各々が隣接する板に対して180°回転された、Ａ、Ｂ及びＧの導電層を有する５枚の板を示している。
【０１２６】
好ましくは、単一のＧ層を有する板はLS、RS、US及びLLSの間の表面領域の大部分に延在している。また、好ましくは、単一のＧ層を有する板はＡ及びＢの導電層の本体部の全てに重なっている。
【０１２７】
図３７は、板3700A、3700B、3700C及び3700Dを含む積層体3700を示している。板3700A及び3700Cの各々は、誘電体Dによって分離されたＡ、Ｂ及びＧ主電極の導電層を含んでいる。板3700Aは、LS全体及びUSとLLSとの左端部に及ぶように延在するタブA1Tを含む導電層A1を含んでいる。板3700Aはまた、RS全体及びUSとLLSとの右端部に及ぶように延在するタブB1Tを含む導電層B1を含んでいる。A1とB1との間には、US及びLLSの中央のタブG1T1及びG1T2までA1及びB1の本体部の間を曲がりながら進む導電層G1が備えられている。板3700Bは、US及びLLSの中央にタブG2T1及びG2T2を有する層G2を含んでいる。板3700Cは層A2、B2及びG3を含んでおり、板3700Aと鏡像の関係にある。板3700Dは板3700Bと同一である。積層体3700は、Ａ及びＢ層群の上下のＧ層群だけでなく、Ａ及びＢ層群の間のＧ層群もＧ主電極に一体化されるように、US及びLLSの中央に全てが位置整合されたＧ層群のタブを有している。他の例では、3700C、3700D、又は3700A、3700Bの何れかの任意の数の繰り返しによって続かれた、あるいは先行された3700A、3700B、3700C及び3700Dという板の並びを含む積層体の並びが実現可能である。これは、単一の板に代えて3700B／3700Dの形態の２枚以上の板を含めること、3700A／3700Cの形態の板の１枚又は交互になった１枚ずつにおいて中央のＧ導電層を含めないこと、及び１枚、２枚又はそれより多くの3700B／3700Dの形態の板を積層体の一端又は両端に含めることによる。
【０１２８】
図３８は積層体38A−38Hを示しており、各々の積層体は板3700A乃至3700Dの更なる代替的な積層体を含んでいる。特に、積層体38A、38B及び38Cは４枚未満の板を有しており、それぞれ、１枚、２枚及び３枚の板若しくは層を有している。
【０１２９】
図３９は板の積層体39A−39Cを示している。図３９の板の積層体の各々は、Ａ、Ｂ及びＧの導電層を有する板と、Ｇ導電層のみを有する板とを含んでいる。図３９は、層の数は増加されてもよいことを例示しており、層の並びが繰り返されてもよいことを提示している。
【０１３０】
図４０は、図３７の積層体と同一の板3700A、3700B、3700C、3700Dを用いる積層体40A、40B及び40Cを示している。しかしながら、図４０の並びは、層A1及びB1の導電面の重なり領域が図３７の層G2及びG4のようなＧ主電極の介在導電層を有することなく互いに対向するように鏡像層M、M’の対が隣接しているところ4001が存在する点で、図３７及び３８の並びと異なっている。また、層G2及びG4のようなＧ導電層が、板4002のようなＡ、Ｂ及びＧ導電層が備えられている層を囲んでいる板群も存在している。図４０は、対になった層Ｍ、M’を示している。他の例では、積層体の並びは、図３７の層G2及びG4のような単一のＧ層を有する層があろうとなかろうと、互いに隣接するＭ、Ｍ’の対の任意の数の繰り返しを含んでいてもよい。好ましくは、導電層が存在する層が総数で奇数個存在し、Ｇ主電極の部分を形成する層のみが存在する層が総数で奇数個存在する。
【０１３１】
図３３−４０の内部構造に代わる積層体の実施形態は、図１３−２４、２７−３３及び４１−４８で示される、開示された板の電極配置を任意の数だけ利用してもよい。これらの板は相互に入れ替えられ、配列され、混合され、回転され、ミックスされ且つ／或いは整合される得ることが本発明の発明者によって意図される。様々な構成によって相異なるエネルギー調整効果がもたらされる。
【０１３２】
図４１−４８は各々、エネルギー調整器の内部構造の最小の板構造を示している。図４９は、図４１−４８に示された板のＡ、Ｂ及びＧ層に接触するように適切に位置整合された導電性バンドを有するエネルギー調整器の外部構造を示している。
【０１３３】
図４１−４４の各々は、導電性領域を２つだけ有する板を示している。図４５−４８の各々は、導電性領域を４つ有する板を示している。
【０１３４】
図４１は、誘電体Dによって隔てられた導電層A1及びB1を含む板41Aを示している。A1はLS付近のUSにあるタブA1T1、及びLS付近のLLSにあるタブA1T2を有しており、これらのタブは図４９の外部構造49Aの導電性バンドC1の前端部及び後端部に接触する。同様に、B1のタブB1T1及びB1T2は外部構造49Aの導電性バンドC3の前端部及び後端部に接触するように配置されている。導電性バンドC2は内部構造41Aの何れの導電層にも接触していない。A1は板41Aの上半分で、RSまでの道のりの半分より多く延在する本体部A1Mを有している。B1は板41Aの下半分で、LSまでの道のりの半分より多く延在する本体部B1Mを有しており、その結果、A1M及びB1MはUSからLLSへの方向に互いに対向する部分を有している。
【０１３５】
図４２は、以下の点を除いて板41Aと同様である板42Aを示している。以下の点とは、A1M及びB1Mが左側又は右側からそれぞれの反対側への道のりの半分より多く延在していないこと、それらがUSからLLSへの方向に互いに対向する部分を有していないこと、及び、それらの各々がUSからLLSへの方向に更に延在していることである。それでも、板42Aのタブは、A1及びB1のタブが板41Aと同様にしてC1及びC2に接触するように設計されている。
【０１３６】
図４３は、以下の点を除いて板41Aと同様であるＡ層及びＢ層を有する板43Aを示している。以下の点とは、Ａ層及びＢ層の各々がLS又はRSまで延在し、それによりLS又はRSの全体と、US及びLLSの一部とに延在する各々の単一のタブが設けられていることである。板43Aは、Ａ層及びＢ層の何れもが導電性バンドC2に接触しないように設計されている。
【０１３７】
図４４は、以下の点を除いて板42Aと同様であるＡ層及びＢ層を有する板44Aを示している。以下の点とは、Ａ層及びＢ層の各々がLS又はRSまで延在し、それによりLS又はRSの全体と、US及びLLSの一部とに延在する各々の単一のタブが設けられていることである。板44Aは、Ａ層及びＢ層の何れもが導電性バンドC2に接触しないように設計されている。
【０１３８】
図４５−４８は、以下の相違を除いて、板41A−44Aにそれぞれ似ている板45A−48Aを示している。板41A−44Aにおいては、導電性バンドC2に対応する領域にタブは存在していないが、板45A−48Aにおいては、導電性バンドC2に接触する導電層G1、G2が存在している。図４５−４８の各々は４つの共平面層を有する板を示している。
【０１３９】
図５０−５３は、２つのみの平面上の導電層と様々な外部構造とを含むエネルギー調整器を示している。
【０１４０】
図５０は、板5000A及び5000Bを含む積層体50Aを示している。板5000Aの上面は導電層A1、導電層B1及び露出された誘電体材料Dから形成されている。板5000Bの上面は導電層G1及び露出された誘電体材料Dから形成されている。A1はUSの左端部付近のタブA1T1とLLSの左端部付近のタブA1T2とを有している。G1はUSの中央のタブG1T1とLLSの中央のタブG1T2とを有している。A1はRSに延在しておらず、B1はLSに延在していない。
【０１４１】
図５１は、（１）積層体50A及び（２）図３Ａの外部構造3Aの構成により定められるエネルギー調整器を概略的に示している。この構成においては、タブA1T1及びA1T2は導電性バンドC1の内表面に接触しており、タブG1T1及びG1T2はそれぞれバンドC2及びC4の内表面に接触しており、そしてタブB1T1及びB1T2は導電性バンドC3の内表面に接触している。
【０１４２】
外部構造の一代替例においては、第３の導電性統合構造及び第４の導電性統合構造が、エネルギー調整器の外表面の周りに単一の導電性バンドを形成する。
【０１４３】
図５２は、板5000A及び5200Bを含む積層体52Aを示している。板5200Bは、層G1のタブG1T1及びG1T2がUS及びLLSではなくLS及びRSにある点で、板5000Bと異なっている。
【０１４４】
図５３は、（１）積層体52A及び（２）図３Ａの外部構造3Aの構成により定められるエネルギー調整器を概略的に示している。タブA1T1及びB1T1は導電性バンドC3の内表面に接触しており、タブA1T2及びB1T2は導電性バンドC1の内表面に接触しており、タブG1T1は導電性バンドC2の内表面に接触しており、タブG1T2は導電性バンドC4の内表面に接触している。このエネルギー調整器においては、Ａ及びＢの主電極は共に、導電性バンドC1、C3によってタブの端部で導電的に結合されている。
【０１４５】
図５４−５７は、３つの平面上の導電層と様々な外部構造とを含むエネルギー調整器を示している。
【０１４６】
図５４は、板5000A及び5000Bを含む積層体54Aを示している。積層体54Aはまた、板5000Bに対して板5000Aの反対側にあり且つ板5000Aと同一の層パターンを有するもう１枚の板5000Cを含んでいる。板5000Cは要素A2T1、A2T2、B2T1、B2T2、A2M及びB2Mを有しており、これらの要素は板5000Aの対応する要素に位置整合されている。板5000Cは、タブA2T1、A2T2、B2T1及びB2T2を含む、板5000Aの対応するタブに位置整合されたタブを有する導電層A2及びB2を有している。
【０１４７】
図５４の代替例では、板5000Aの中心を通る縦線により定められる鏡に関して板5000Aの導電パターンと鏡像の関係にある導電パターンを有する板によって、板5000Cが置き換えられてもよい。この代替例においては、例えば、導電性タブA1T1及びA2T2は依然として上下方向に位置整合されており、導電性バンドC1の内表面への接触によって導電的に接続される。しかしながら、この代替例においては、A1MはB2Mと実質的な重なりを有し、A2MはB1Mと実質的な重なりを有する。他の実施形態を用いた場合のように、更なる代替的な積層体は、３枚の板5000A、5000B及び5000Cの並びの繰り返し、及び上述の5000Cへの変更を含む。
【０１４８】
図５５は、（１）積層体54A及び（２）図３Ａの外部構造3Aの構成により定められるエネルギー調整器を概略的に示している。この構造においては、同一の主電極の導電層に含まれるタブは積層体内で位置整合されて、導電性バンド構造に接触している。例えば、タブA1T1及びA2T1は位置整合されて導電性バンドC1の内表面に接触している。
【０１４９】
図５６は、板5000A及び5000Bを含む積層体56Aを示している。積層体56Aはまた、板5000Bに対して板5000Aの反対側にあり且つ板5000Aと同一の層パターンを有するもう１枚の板5000Cを含んでいる。板5000Cは、タブA2T1、A2T2、B2T1及びB2T2を含む、板5000Aの対応するタブに位置整合されたタブを有する導電層A2及びB2を有している。
【０１５０】
積層体56Aの5000Cの代替例においては、A1MはB2Mと実質的な重なりを有し、A2MはB1Mと実質的な重なりを有する。他の実施形態を用いた場合のように、更なる代替的な積層体は、３枚の板5000A、5000B及び5000Cの並びの繰り返し、及び上述の5000Cへの変更を含む。
【０１５１】
図５７は、（１）積層体56A及び（２）図３Ａの外部構造3Aの構成により定められるエネルギー調整器を概略的に示している。この構造においては、同一の主電極の導電層に含まれるタブは積層体内で位置整合されて、導電性バンド構造に接触している。例えば、タブA1T1及びA2T1は位置整合されて導電性バンドC1の内表面に接触している。
【図面の簡単な説明】
【０１５２】
【図１Ａ】従来の高速ＶＬＳＩ集積回路（超大規模集積回路）チップ用の、プリント基板とも呼ばれる、従来のデジタル回路基板を示す平面図である。
【図１Ｂ】図１Ａの従来基板の端部の一部を概略的に示す側断面図である。
【図２Ａ】パッドを介して基板に搭載された３つ以上の端子を有するエネルギー調整器を含む構造を示す部分的な側断面図であり、ビアが調整器と基板の導電面とを接続していることを示している。
【図２Ｂ】電源面、グランド面、及びそれらへの複数端子調整器の接続を示す他の側断面図である。
【図３Ａ】新規なエネルギー調整器の外表面、特に、導電性バンド構造Ｃの表面と誘電体Ｄの表面とを示す図である。
【図３Ｂ】新規なエネルギー調整器の外表面、特に、導電性バンド構造Ｃの表面と誘電体Ｄの表面とを示す図である。
【図３Ｃ】新規なエネルギー調整器の外表面、特に、導電性バンド構造Ｃの表面と誘電体Ｄの表面とを示す図である。
【図３Ｄ】新規なエネルギー調整器の外表面、特に、導電性バンド構造Ｃの表面と誘電体Ｄの表面とを示す図である。
【図３Ｅ】新規なエネルギー調整器の外表面、特に、導電性バンド構造Ｃの表面と誘電体Ｄの表面とを示す図である。
【図３Ｆ】新規なエネルギー調整器の外表面、特に、導電性バンド構造Ｃの表面と誘電体Ｄの表面とを示す図である。
【図３Ｇ】新規なエネルギー調整器の外表面、特に、導電性バンド構造Ｃの表面と誘電体Ｄの表面とを示す図である。
【図３Ｈ】新規なエネルギー調整器の外表面、特に、導電性バンド構造Ｃの表面と誘電体Ｄの表面とを示す図である。
【図３Ｉ】新規なエネルギー調整器の外表面、特に、導電性バンド構造Ｃの表面と誘電体Ｄの表面とを示す図である。
【図３Ｊ】新規なエネルギー調整器の外表面、特に、導電性バンド構造Ｃの表面と誘電体Ｄの表面とを示す図である。
【図３Ｋ】新規なエネルギー調整器の外表面、特に、導電性バンド構造Ｃの表面と誘電体Ｄの表面とを示す図である。
【図４Ａ】新規な個別部品エネルギー調整器が取り付けられ得る導電性パッド及び／又はビア構造を含む、取付面構造の導電性要素の構成を示す平面図である。
【図４Ｂ】新規な個別部品エネルギー調整器が取り付けられ得る導電性パッド及び／又はビア構造を含む、取付面構造の導電性要素の構成を示す平面図である。
【図４Ｃ】新規な個別部品エネルギー調整器が取り付けられ得る導電性パッド及び／又はビア構造を含む、取付面構造の導電性要素の構成を示す平面図である。
【図４Ｄ】新規な個別部品エネルギー調整器が取り付けられ得る導電性パッド及び／又はビア構造を含む、取付面構造の導電性要素の構成を示す平面図である。
【図４Ｅ】新規な個別部品エネルギー調整器が取り付けられ得る導電性パッド及び／又はビア構造を含む、取付面構造の導電性要素の構成を示す平面図である。
【図４Ｆ】新規な個別部品エネルギー調整器が取り付けられ得る導電性パッド及び／又はビア構造を含む、取付面構造の導電性要素の構成を示す平面図である。
【図４Ｇ】新規な個別部品エネルギー調整器が取り付けられ得る導電性パッド及び／又はビア構造を含む、取付面構造の導電性要素の構成を示す平面図である。
【図４Ｈ】新規な個別部品エネルギー調整器が取り付けられ得る導電性パッド及び／又はビア構造を含む、取付面構造の導電性要素の構成を示す平面図である。
【図４Ｉ】新規な個別部品エネルギー調整器が取り付けられ得る導電性パッド及び／又はビア構造を含む、取付面構造の導電性要素の構成を示す平面図である。
【図４Ｊ】新規な個別部品エネルギー調整器が取り付けられ得る導電性パッド及び／又はビア構造を含む、取付面構造の導電性要素の構成を示す平面図である。
【図４Ｋ】新規な個別部品エネルギー調整器が取り付けられ得る導電性パッド及び／又はビア構造を含む、取付面構造の導電性要素の構成を示す平面図である。
【図４Ｌ】新規な個別部品エネルギー調整器が取り付けられ得る導電性パッド及び／又はビア構造を含む、取付面構造の導電性要素の構成を示す平面図である。
【図４Ｍ】新規な個別部品エネルギー調整器が取り付けられ得る導電性パッド及び／又はビア構造を含む、取付面構造の導電性要素の構成を示す平面図である。
【図４Ｎ】新規な個別部品エネルギー調整器が取り付けられ得る導電性パッド及び／又はビア構造を含む、取付面構造の導電性要素の構成を示す平面図である。
【図４Ｏ】新規な個別部品エネルギー調整器が取り付けられ得る導電性パッド及び／又はビア構造を含む、取付面構造の導電性要素の構成を示す平面図である。
【図５Ａ】ビアの幾何学的関係を示す平面図である。
【図５Ｂ】ビアの幾何学的関係を示す平面図である。
【図６Ａ】パッド当たり２つのビアを有する場合の、導電性パッド及びビアを含む取付面構造要素の配列上への新規なエネルギー調整器の結合を示す概略図である。
【図６Ｂ】パッド当たり２つのビアを有し、且つエネルギー調整器の左側及び右側の導電性端子、キャップ、又はバンド（帯）に中央のパッドが接触するように中央のパッドが外側の２つのパッドより延在している場合の、導電性パッド及びビアを含む取付面構造要素の配列上への新規なエネルギー調整器の結合を示す概略図である。
【図６Ｃ】導電性パッド及びビアを含む取付面構造要素の配列上への新規なエネルギー調整器の結合を示す上面図であり、調整器の端子とビアとの重なりを示している。
【図７】Ａ、Ｂ及びＧ主電極を有するエネルギー調整器とともに使用される回路１を部分的に示す概略図である。
【図８】Ａ、Ｂ及びＧ主電極を有するエネルギー調整器とともに使用される回路２を部分的に示す概略図である。
【図９】Ａ、Ｂ及びＧ主電極を有するエネルギー調整器とともに使用される回路３を部分的に示す概略図である。
【図１０】Ａ、Ｂ及びＧ主電極を有するエネルギー調整器とともに使用される回路４を部分的に示す概略図である。
【図１１】Ａ、Ｂ及びＧ主電極を有するエネルギー調整器とともに使用される回路５を部分的に示す概略図である。
【図１２】Ａ、Ｂ及びＧ主電極を有するエネルギー調整器とともに使用される回路６を部分的に示す概略図である。
【図１３】エネルギー調整器の最小の板構造の板を示す平面図である。
【図１４】エネルギー調整器の最小の板構造の板を示す平面図である。
【図１５】エネルギー調整器の最小の板構造の板を示す平面図である。
【図１６】エネルギー調整器の最小の板構造の板を示す平面図である。
【図１７】エネルギー調整器の最小の板構造の板を示す平面図である。
【図１８】エネルギー調整器の最小の板構造の板を示す平面図である。
【図１９】エネルギー調整器の最小の板構造の板を示す平面図である。
【図２０】エネルギー調整器の最小の板構造の板を示す平面図である。
【図２１】エネルギー調整器の最小の板構造の板を示す平面図である。
【図２２】エネルギー調整器の最小の板構造の板を示す平面図である。
【図２３】エネルギー調整器の最小の板構造の板を示す平面図である。
【図２４】エネルギー調整器の最小の板構造の板を示す平面図である。
【図２５】エネルギー調整器の最小の板構造の板を示す平面図である。
【図２６】エネルギー調整器の最小の板構造の板を示す平面図である。
【図２７】エネルギー調整器の最小の板構造の板を示す平面図である。
【図２８】エネルギー調整器の最小の板構造の板を示す平面図である。
【図２９】新規なエネルギー調整器の２枚の板の積層体の分解図であり、板が紙面に並べられている。
【図３０】新規なエネルギー調整器の２枚の板の積層体の分解図であり、板が紙面に並べられている。
【図３１】新規なエネルギー調整器の２枚の板の積層体の分解図であり、板が紙面に並べられている。
【図３２】新規なエネルギー調整器の２枚の板の積層体の分解図であり、板が紙面に並べられている。
【図３３】エネルギー調整器の板の積層体33A−33Eの一組の分解図であり、各積層体の板が紙面に並べられている。
【図３４】エネルギー調整器の板の積層体34A−34Eの一組の分解図であり、各積層体の板が紙面に並べられている。
【図３５】エネルギー調整器の板の積層体35A−35Eの一組の分解図であり、各積層体の板が紙面に並べられている。
【図３６】エネルギー調整器の板の積層体36A−36Eの一組の分解図であり、各積層体の板が紙面に並べられている。
【図３７】エネルギー調整器の４枚の板の積層体の分解図であり、板が紙面に並べられている。
【図３８】エネルギー調整器の板の積層体38A−38Hの一組の分解図であり、各積層体の板が紙面に並べられている。
【図３９】エネルギー調整器の板の積層体39A−39Cの一組の分解図であり、各積層体の板が紙面に並べられている。
【図４０】エネルギー調整器の板の積層体40A−40Cの一組の分解図であり、各積層体の板が紙面に並べられている。
【図４１】図４９に示される外部構造を有するエネルギー調整器の最小の板構造の板を示す平面図である。
【図４２】図４９に示される外部構造を有するエネルギー調整器の最小の板構造の板を示す平面図である。
【図４３】図４９に示される外部構造を有するエネルギー調整器の最小の板構造の板を示す平面図である。
【図４４】図４９に示される外部構造を有するエネルギー調整器の最小の板構造の板を示す平面図である。
【図４５】図４９に示される外部構造を有するエネルギー調整器の最小の板構造の板を示す平面図である。
【図４６】図４９に示される外部構造を有するエネルギー調整器の最小の板構造の板を示す平面図である。
【図４７】図４９に示される外部構造を有するエネルギー調整器の最小の板構造の板を示す平面図である。
【図４８】図４９に示される外部構造を有するエネルギー調整器の最小の板構造の板を示す平面図である。
【図４９】図４１−４８に示される内部構造のための、エネルギー調整器の外部構造の一構成を示す斜視図である。
【図５０】新規なエネルギー調整器の２枚の板の組の分解図であり、板が紙面の横方向に並べられている。
【図５１】図５０に示される２枚の板の積層体を含む新規なエネルギー調整器の外表面を示す斜視図である。
【図５２】新規なエネルギー調整器の２枚の板の組の分解図であり、板が紙面の横方向に並べられている。
【図５３】図５２に示された２枚の板の積層体を含む新規なエネルギー調整器の外表面を示す斜視図である。
【図５４】新規なエネルギー調整器の２枚の板の組の分解図であり、板が紙面の横方向に並べられている。
【図５５】図５４に示された２枚の板の積層体を含む新規なエネルギー調整器の外表面を示す斜視図である。
【図５６】新規なエネルギー調整器の２枚の板の組の分解図であり、板が紙面の横方向に並べられている。
【図５７】図５６に示された２枚の板の積層体を含む新規なエネルギー調整器の外表面を示す斜視図である。
【図１Ａ】
2008535207.tif 000002
【図１Ｂ】
2008535207.tif 000003
【図２Ａ】
2008535207.tif 000004
【図２Ｂ】
2008535207.tif 000005
【図３Ａ】
2008535207.tif 000006
【図３Ｂ】
2008535207.tif 000007
【図３Ｃ】
2008535207.tif 000008
【図３Ｄ】
2008535207.tif 000009
【図３Ｅ】
2008535207.tif 000010
【図３Ｆ】
2008535207.tif 000011
【図３Ｇ】
2008535207.tif 000012
【図３Ｈ】
2008535207.tif 000013
【図３Ｉ】
2008535207.tif 000014
【図３Ｊ】
2008535207.tif 000015
【図３Ｋ】
2008535207.tif 000016
【図４Ａ】
2008535207.tif 000017
【図４Ｂ】
2008535207.tif 000018
【図４Ｃ】
2008535207.tif 000019
【図４Ｄ】
2008535207.tif 000020
【図４Ｅ】
2008535207.tif 000021
【図４Ｆ】
2008535207.tif 000022
【図４Ｇ】
2008535207.tif 000023
【図４Ｈ】
2008535207.tif 000024
【図４Ｉ】
2008535207.tif 000025
【図４Ｊ】
2008535207.tif 000026
【図４Ｋ】
2008535207.tif 000027
【図４Ｌ】
2008535207.tif 000028
【図４Ｍ】
2008535207.tif 000029
【図４Ｎ】
2008535207.tif 000030
【図４Ｏ】
2008535207.tif 000031
【図５Ａ】
2008535207.tif 000032
【図５Ｂ】
2008535207.tif 000033
【図６Ａ】
2008535207.tif 000034
【図６Ｂ】
2008535207.tif 000035
【図６Ｃ】
2008535207.tif 000036
【図７】
2008535207.tif 000037
【図８】
2008535207.tif 000038
【図９】
2008535207.tif 000039
【図１０】
2008535207.tif 000040
【図１１】
2008535207.tif 000041
【図１２】
2008535207.tif 000042
【図１３】
2008535207.tif 000043
【図１４】
2008535207.tif 000044
【図１５】
2008535207.tif 000045
【図１６】
2008535207.tif 000046
【図１７】
2008535207.tif 000047
【図１８】
2008535207.tif 000048
【図１９】
2008535207.tif 000049
【図２０】
2008535207.tif 000050
【図２１】
2008535207.tif 000051
【図２２】
2008535207.tif 000052
【図２３】
2008535207.tif 000053
【図２４】
2008535207.tif 000054
【図２５】
2008535207.tif 000055
【図２６】
2008535207.tif 000056
【図２７】
2008535207.tif 000057
【図２８】
2008535207.tif 000058
【図２９】
2008535207.tif 000059
【図３０】
2008535207.tif 000060
【図３１】
2008535207.tif 000061
【図３２】
2008535207.tif 000062
【図３３】
2008535207.tif 000063
【図３４】
2008535207.tif 000064
【図３５】
2008535207.tif 000065
【図３６】
2008535207.tif 000066
【図３７】
2008535207.tif 000067
【図３８】
2008535207.tif 000068
【図３９】
2008535207.tif 000069
【図４０】
2008535207.tif 000070
【図４１】
2008535207.tif 000071
【図４２】
2008535207.tif 000072
【図４３】
2008535207.tif 000073
【図４４】
2008535207.tif 000074
【図４５】
2008535207.tif 000075
【図４６】
2008535207.tif 000076
【図４７】
2008535207.tif 000077
【図４８】
2008535207.tif 000078
【図４９】
2008535207.tif 000079
【図５０】
2008535207.tif 000080
【図５１】
2008535207.tif 000081
【図５２】
2008535207.tif 000082
【図５３】
2008535207.tif 000083
【図５４】
2008535207.tif 000084
【図５５】
2008535207.tif 000085
【図５６】
2008535207.tif 000086
【図５７】
2008535207.tif 000087
【国際調査報告】
2008535207.tif 000088
2008535207.tif 000089